(57)【要約】【課題】  生産設備の稼動状況の解析を容易とする情報処理装置を得る。【解決手段】  情報処理装置２３は、生産ラインにおける生産設備の稼動を示した稼動情報および該設備の停止を示した停止情報を、生産設備毎に順次取得する稼働状況取得部４０と、生産設備の停止の原因を示した停止原因情報の入力を、生産設備毎に受け付ける停止原因受付部４６と、少なくとも停止情報に停止原因情報を関連付けると共に、稼動情報および関連付けた情報を記憶装置５１に記憶させるデータ関連付部４１と、複数の生産設備に関する、記憶された稼動情報および関連付けされた情報を、時系列で、併せて表示画面に表示させる表示制御部４５とを備える。【選択図】  図１
2006139514.tif 000002
【特許請求の範囲】
【請求項１】
生産ラインにおける生産設備の稼動を示した稼動情報および該設備の停止を示した停止情報を、生産設備毎に順次取得する稼動状況取得手段と、
前記生産設備の停止の原因を示した停止原因情報の入力を、生産設備毎に受け付ける停止原因受付手段と、
少なくとも前記停止情報に前記停止原因情報を関連付けると共に、前記稼動情報および前記関連付けた情報を記憶装置に記憶させる関連付手段と、
複数の生産設備に関する、前記記憶された前記稼動情報および前記関連付けされた情報を、時系列で、併せて表示画面に表示させる表示制御手段とを備えることを特徴とする情報処理装置。
【請求項２】
前記停止に対する処置内容を示した処置内容情報の入力を、生産設備毎に受け付ける処置内容受付手段を備え、
前記関連付手段は、さらに、前記処置内容情報を関連付けることを特徴とする請求項１記載の情報処理装置。
【請求項３】
生産設備近辺の映像を示した映像情報であって、前記各停止情報に対応した時間の映像を示した映像情報を、生産設備毎に外部から取得する映像情報取得手段を備え、
前記関連付手段は、さらに、前記映像情報を関連付け、
前記停止情報に関連する停止原因情報の入力の受け付けに際して、所定の指示を受け付けた場合、前記表示制御手段は、該停止情報に対応した映像情報で示される映像を表示することを特徴とする請求項１または２記載の情報処理装置。
【請求項４】
外部からの指示による自設備の停止を強制停止、自設備の不具合による停止を不具合停止、ワークの搬入待ちによる停止を搬入待停止、および、ワークの搬出待ちによる停止を搬出待停止とすると、
前記稼動状況取得手段は、前記停止情報として、強制停止、不具合停止、搬入待停止、および、搬出待停止の何れかを示す分類情報を取得し、
前記表示制御手段は、前記停止原因受付手段による停止原因情報の受け付けに際して、各停止情報に基づいて生成された、前記表示画面における各停止状態を示す表示領域に対応付けて、停止原因情報の入力用領域を表示すると共に、前記分類情報に応じた識別情報を前記表示領域に対応付けて表示することを特徴とする請求項１から３の何れか１項に記載の情報処理装置。
【請求項５】
外部からの指示による自設備の停止を強制停止、自設備の不具合による停止を不具合停止、ワークの搬入待ちによる停止を搬入待停止、および、ワークの搬出待ちによる停止を搬出待停止とすると、
前記稼動状況取得手段は、前記停止情報として、強制停止、不具合停止、搬入待停止、および、搬出待停止の何れかを示す分類情報を取得し、
前記停止原因受付手段は、前記停止原因情報として前記分類情報の入力を受け付け、
前記表示制御手段は、前記停止原因情報の入力の受け付けに際して、各停止情報に基づいて生成された、前記表示画面における停止状態を示した各表示領域に対応付けて、停止原因情報の入力用領域を表示すると共に、該入力用領域に、前記分類情報に応じた情報を表示することを特徴とする請求項１から３の何れか１項に記載の情報処理装置。
【請求項６】
前記稼動状況取得手段が、生産ラインにおいて上流側からｎ番目の生産設備に関し、前記強制停止または不具合停止を示す分類情報を受け付けると共に、上流側からｎ＋１番目の生産設備に関し、搬入待停止を示す分類情報を受け付けた場合、
前記関連付手段は、さらに、前記強制停止または不具合停止を示した分類情報と、前記搬入待停止を示す分類情報とを関連付け、
前記表示制御手段は、前記両分類情報の関連付けを示すオブジェクトを表示画面に表示することを特徴とする請求項４または５記載の情報処理装置。
【請求項７】
前記稼動状況取得手段が、さらに、前記ｎ＋１番目の生産設備よりも下流側に配された生産設備であって、かつ、前記ｎ＋１番目の生産設備から連続して配された生産設備に関し、搬入待停止を示す分類情報を受け付けることを特徴とする請求項６記載の情報処理装置。
【請求項８】
前記稼動状況取得手段が、生産ラインにおいて上流側からｎ番目の生産設備に関し、前記強制停止または不具合停止を示す分類情報を受け付けると共に、上流側からｎ−１番目の生産設備に関し、搬出待停止を示す分類情報を受け付けた場合、
前記関連付手段は、さらに、前記強制停止または不具合停止を示した分類情報と、前記搬出待停止を示す分類情報とを関連付け、
前記表示制御手段は、前記両分類情報の関連付けを示すオブジェクトと共に表示画面に表示することを特徴とする請求項４または５記載の情報処理装置。
【請求項９】
前記稼動状況取得手段が、さらに、前記ｎ−１番目の生産設備よりも上流側に配された生産設備であって、かつ、前記ｎ−１番目の生産設備から連続して配された生産設備に関し、搬出待停止を示す分類情報を受け付けることを特徴とする請求項８記載の情報処理装置。
【請求項１０】
前記記憶装置には、前記分類情報毎に、１つ以上の停止原因情報が記憶されており、
前記停止情報に関連する停止原因情報の入力の受け付けに際して、所定の指示を受け付けた場合、前記表示制御手段は、前記記憶された停止原因情報を選択可能にリスト表示することを特徴とする請求項４から９の何れか１項に記載の情報処理装置。
【請求項１１】
前記記憶装置に対し、停止原因情報を登録する登録手段を備えることを特徴とする請求項１０記載の情報処理装置。
【請求項１２】
前記選択された停止原因情報の選択回数を、生産設備毎に集計する集計手段を備え、
前記表示制御手段は、リスト表示時に、選択回数の多い順に停止原因情報を表示画面に表示することを特徴とする請求項１０または１１記載の情報処理装置。
【請求項１３】
前記記憶装置には、前記分類情報毎に、１つ以上の処置内容情報を示す情報が記憶されており、
前記停止情報に関連する処置内容情報の入力の受け付けに際して、所定の指示を受け付けた場合、前記表示制御手段は、前記記憶された処置内容情報を選択可能にリスト表示することを特徴とする請求項４から９の何れか１項に記載の情報処理装置。
【請求項１４】
前記記憶装置に対し、処置内容情報を登録する登録手段を備えることを特徴とする請求項１３記載の情報処理装置。
【請求項１５】
前記選択された処置内容情報の選択回数を、生産設備毎に集計する集計手段を備え、
前記表示制御手段は、リスト表示時に、選択回数の多い順に処置内容情報を表示画面に表示することを特徴とする請求項１３または１４記載の情報処理装置。
【請求項１６】
全ての停止情報に関連する停止原因情報の入力が完了したか否かを判定する判定手段を備え、
入力が完了していないと判定された場合、前記表示制御手段は、表示画面に所定の警告を表示することを特徴とする請求項１から１５の何れか１項に記載の情報処理装置。
【請求項１７】
全ての停止情報に関連する停止原因情報の入力が完了したか否かを判定する判定手段と、
前記入力が完了していないと判定された場合、警告音を発生する警告音発生手段とを備えることを特徴とする請求項１から１５の何れか１項に記載の情報処理装置。
【請求項１８】
作業員を識別する識別情報の入力を受け付ける識別情報受付手段と、
各作業員を識別する識別情報と、各作業員が担当する生産設備を示す情報とを対応付けて記憶したサーバ装置から、前記受け付けた識別情報に基づいて、生産設備を示す情報を取得する担当情報取得手段とを備え、
前記表示制御手段は、前記取得された情報に示された生産設備に関し、前記記憶された前記稼動情報および前記関連付けされた情報を、時系列で、併せて表示画面に表示させることを特徴とする請求項１から１７の何れか１項に記載の情報処理装置。
【請求項１９】
前記サーバ装置には、さらに、各作業員の担当時間を示した担当時間情報が記憶されており、
前記担当情報取得手段は、さらに、前記受け付けた識別情報に基づいて、前記担当時間情報を取得し、
前記表示制御手段は、特定された担当時間に関する、前記記憶された前記稼動情報および前記関連付けされた情報を、時系列で、併せて表示画面に表示させることを特徴とする請求項１８記載の情報処理装置。
【請求項２０】
請求項４から１９の何れか１項に記載の情報処理装置と、
前記稼動情報および前記停止情報に基づいて前記分類情報を生成すると共に、この生成した分類情報を前記情報処理装置に送信する分類情報生成装置とを備えることを特徴とする稼動状況管理装置。
【請求項２１】
生産ラインにおける生産設備の稼動を示した稼動情報および該設備の停止を示した停止情報を、生産設備毎に順次取得する稼動状況取得ステップと、
前記生産設備の停止の原因を示した停止原因情報の入力を、生産設備毎に受け付ける停止原因受付ステップと、
少なくとも前記停止情報に前記停止原因情報を関連付けると共に、前記稼動情報および前記関連付けた情報を記憶装置に記憶させる関連付ステップと、
複数の生産設備に関する、前記記憶された前記稼動情報および前記関連付けされた情報を、時系列で、併せて表示画面に表示させる表示ステップとを備えることを特徴とする情報処理方法。
【請求項２２】
請求項１から１９の何れか１項に記載の情報処理装置の各手段としてコンピュータを機能させるためのプログラム。
【請求項２３】
請求項２２記載のプログラムを記録したコンピュータ読み取り可能な記録媒体。
【発明の詳細な説明】
【技術分野】
【０００１】
本発明は、生産ラインにおける生産設備の稼動状況を解析するための情報処理装置、稼動状況管理装置、情報処理方法、プログラム、および、プログラムを記録したコンピュータ読み取り可能な記録媒体に関する。
【背景技術】
【０００２】
従来より、生産ラインにおける生産設備の稼動状況を解析するために、生産設備の停止原因と、該停止に対する処置内容との入力を受け付け、これらを時系列的に管理する稼動状況管理装置が知られている。
【０００３】
特許文献１および２には、上記稼動状況管理装置に相当する装置が開示されている。
【０００４】
具体的には、特許文献１には、生産設備のトラブルデータを含む停止データを受信する受信手段と、トラブルの内容を入力する入力手段とを備え、生産設備がトラブルにより停止したと判断した場合、上記停止データと処置内容とを併せて時系列的に表示する装置が開示されている。
【０００５】
特許文献２には、稼動状況データに基づいて、設備の複数の停止原因とその停止の発生時刻との関係を示すガンチャートを作成するガンチャート作成手段と、作成されたガンチャートを出力（表示）する表示手段とを備える装置が開示されている。
【特許文献１】特開２００１−６７１２３号公報（公開日：平成１３年３月１６日）
【特許文献２】特開２０００−１２３０８５号公報（公開日：平成１２年４月２８日）
【発明の開示】
【発明が解決しようとする課題】
【０００６】
ところで、生産ラインにおいては、ある生産設備の稼動が停止すると、この停止に起因して、他の生産設備の稼動が停止するといった状況が起こる。つまり、連鎖的に生産設備の稼動停止が発生する。
【０００７】
しかしながら、上記特許文献１および２の装置では、少なくとも入力された停止原因の情報を用いて、生産設備の稼動状況を解析する場合、１つの生産設備についての時系列に沿った稼動状況しか表示できない。
【０００８】
それゆえ、これらの装置では、ユーザは、各生産設備の稼動の停止が、どのように連動して起こっているかを視覚的に判断しづらい。このため、ユーザが、上記のような連鎖的な稼動停止を把握しようとすると、ユーザは、逐一表示画面を切り替える必要がある。
【０００９】
したがって、上記の装置では、生産設備の稼動状況の解析には、手間がかかる。
【００１０】
本発明は、上記の問題点に鑑みてなされたものであり、その目的は、生産設備の稼動状況の解析を容易とする情報処理装置、稼動状況管理装置、情報処理方法、プログラム、および、プログラムを記録したコンピュータ読み取り可能な記録媒体を実現することにある。
【課題を解決するための手段】
【００１１】
本発明に係る情報処理装置は、上記の課題を解決するため、生産ラインにおける生産設備の稼動を示した稼動情報および該設備の停止を示した停止情報を、生産設備毎に順次取得する稼動状況取得手段と、前記生産設備の停止の原因を示した停止原因情報の入力を、生産設備毎に受け付ける停止原因受付手段と、少なくとも前記停止情報に前記停止原因情報を関連付けると共に、前記稼動情報および前記関連付けた情報を記憶装置に記憶させる関連付手段と、複数の生産設備に関する、前記記憶された前記稼動情報および前記関連付けされた情報を、時系列で、併せて表示画面に表示させる表示制御手段とを備えることを特徴としている。
【００１２】
上記の構成によれば、稼動状況取得手段により、生産ラインにおける生産設備の稼動を示した稼動情報および該設備の停止を示した停止情報が、生産設備毎に順次取得される。また、停止原因受付手段により、前記生産設備の停止の原因を示した停止原因情報の入力が、生産設備毎に受け付けられる。さらに、関連付手段により、少なくとも前記停止情報に前記停止原因情報が関連付けられると共に、前記稼動情報および前記関連付けた情報が記憶装置に記憶される。
【００１３】
これにより、記憶装置には、稼動情報、停止情報、および、該停止情報に関連した停止原因情報が、生産設備毎に順次記憶される。
【００１４】
そして、表示制御手段により、複数の生産設備に関する、前記記憶された前記稼動情報および前記関連付けされた情報が、時系列で、併せて表示画面に表示される。このため、停止原因情報を用いて、生産設備の稼動状況を解析する際に、複数の生産設備の稼動状況に関する時系列に沿った表示を行うことができる。
【００１５】
それゆえ、生産ラインにおいて各生産設備の稼動の停止が、どのように連動して起こっているかを判断できる。
【００１６】
したがって、生産設備の稼動状況の解析を容易とする情報処理装置を提供できるという効果を奏する。
【００１７】
また、本発明に係る情報処理装置は、上記の情報処理装置において、前記停止に対する処置内容を示した処置内容情報の入力を、生産設備毎に受け付ける処置内容受付手段を備え、前記関連付手段は、さらに、前記処置内容情報を関連付けることを特徴としている。
【００１８】
上記の構成によれば、処置内容受付手段により、前記停止に対する処置内容を示した処置内容情報の入力が、生産設備毎に受け付けられる。
【００１９】
さらに、関連付手段により、前記処置内容情報が関連付けられる。これにより、停止情報に対して、停止原因情報と処置内容情報とが関連付けられる。
【００２０】
したがって、表示制御手段により、処置内容についても、時系列で、併せて表示画面に表示させることができるという効果を奏する。
【００２１】
また、本発明に係る情報処理装置は、上記の情報処理装置において、生産設備近辺の映像を示した映像情報であって、前記各停止情報に対応した時間の映像を示した映像情報を、生産設備毎に外部から取得する映像情報取得手段を備え、前記関連付手段は、さらに、前記映像情報を関連付け、前記停止情報に関連する停止原因情報の入力の受け付けに際して、所定の指示を受け付けた場合、前記表示制御手段は、該停止情報に対応した映像情報で示される映像を表示することを特徴としている。
【００２２】
上記の構成によれば、映像情報取得手段により、生産設備近辺の映像を示した映像情報であって、各停止情報に対応した時間の映像を示した映像情報が、生産設備毎に外部から取得できる。
【００２３】
また、関連付手段により、前記映像情報が関連付けられる。これにより、停止情報に対して、停止原因情報と処置内容情報と映像情報とが関連付けられる。
【００２４】
さらに、前記停止情報に関連する停止原因情報の入力の受け付けに際して、所定の指示を受け付けた場合、表示制御手段により、該停止情報に対応した映像情報で示される映像が表示される。
【００２５】
それゆえ、生産設備を担当した作業員は、停止原因情報の入力の際に、情報処理装置に対して所定の指示を入力することにより、停止情報に対応した映像情報で示される映像を視ることができる。
【００２６】
したがって、作業員が、担当の作業が終了した後に停止原因情報を入力する場合であっても、作業員は、映像を見ることにより、正確な停止原因情報を入力することが可能となるという効果を奏する。
【００２７】
また、本発明に係る情報処理装置は、上記の情報処理装置において、外部からの指示による自設備の停止を強制停止、自設備の不具合による停止を不具合停止、ワークの搬入待ちによる停止を搬入待停止、および、ワークの搬出待ちによる停止を搬出待停止とすると、前記稼動状況取得手段は、前記停止情報として、強制停止、不具合停止、搬入待停止、および、搬出待停止の何れかを示す分類情報を取得し、前記表示制御手段は、前記停止原因受付手段による停止原因情報の受け付けに際して、各停止情報に基づいて生成された、前記表示画面における各停止状態を示す表示領域に対応付けて、停止原因情報の入力用領域を表示すると共に、前記分類情報に応じた識別情報を前記表示領域に対応付けて表示することを特徴としている。
【００２８】
上記の構成によれば、稼動状況取得手段により、停止情報として、強制停止、不具合停止、搬入待停止、および、搬出待停止の何れかを示す分類情報を取得できる。
【００２９】
また、表示制御手段により、停止原因受付手段による停止原因情報の受け付けに際して、各停止情報に基づいて生成された、前記表示画面における各停止状態を示す表示領域に対応付けて、停止原因情報の入力用領域が表示されると共に、前記分類情報に応じた識別情報が前記表示領域に対応付けて表示される。
【００３０】
それゆえ、作業員は、停止原因情報の入力に際し、分類情報に応じた識別情報を参照することができる。このため、作業員は、表示画面上において、各停止が、強制停止、不具合停止、搬入待停止、および、搬出待停止の何れかであるかを識別できる。
【００３１】
したがって、作業員が、担当の作業が終了した後に停止原因情報を入力する場合であっても、作業員は、正確な停止原因情報を入力することが可能となるという効果を奏する。
【００３２】
また、本発明に係る情報処理装置は、上記の情報処理装置において、外部からの指示による自設備の停止を強制停止、自設備の不具合による停止を不具合停止、ワークの搬入待ちによる停止を搬入待停止、および、ワークの搬出待ちによる停止を搬出待停止とすると、前記稼動状況取得手段は、前記停止情報として、強制停止、不具合停止、搬入待停止、および、搬出待停止の何れかを示す分類情報を取得し、前記停止原因受付手段は、前記停止原因情報として前記分類情報の入力を受け付け、前記表示制御手段は、前記停止原因情報の入力の受け付けに際して、各停止情報に基づいて生成された、前記表示画面における停止状態を示した各表示領域に対応付けて、停止原因情報の入力用領域を表示すると共に、該入力用領域に、前記分類情報に応じた情報を表示することを特徴としている。
【００３３】
上記の構成によれば、稼動状況取得手段により、停止情報として、強制停止、不具合停止、搬入待停止、および、搬出待停止の何れかを示す分類情報を取得できる。
【００３４】
また、停止原因受付手段により、停止原因情報として前記分類情報の入力が受け付けられる。
【００３５】
さらに、表示制御手段により、停止原因情報の入力の受け付けに際して、各停止情報に基づいて生成された、前記表示画面における停止状態を示した各表示領域に対応付けて、停止原因情報の入力用領域が表示されると共に、該入力用領域に、前記分類情報に応じた情報が表示される。
【００３６】
つまり、作業員の入力を行うことなく、分類情報に応じた情報が、自動的に停止原因情報として入力される。
【００３７】
したがって、作業員の入力の手間を省くことができると共に、正確な停止原因情報の入力が可能となるという効果を奏する。
【００３８】
また、本発明に係る情報処理装置は、上記の情報処理装置において、前記稼動状況取得手段が、生産ラインにおいて上流側からｎ番目の生産設備に関し、前記強制停止または不具合停止を示す分類情報を受け付けると共に、上流側からｎ＋１番目の生産設備に関し、搬入待停止を示す分類情報を受け付けた場合、前記関連付手段は、さらに、前記強制停止または不具合停止を示した分類情報と、前記搬入待停止を示す分類情報とを関連付け、前記表示制御手段は、前記両分類情報の関連付けを示すオブジェクトを表示画面に表示することを特徴としている。
【００３９】
上記の構成によれば、稼動状況取得手段が、上記ｎ番目の生産設備に関し強制停止または不具合停止を示す分類情報を受け付けると共に、上記ｎ＋１番目の生産設備に関し搬入待停止を示す分類情報を受け付けた場合、関連付手段により、さらに、前記強制停止または不具合停止を示した分類情報と、前記搬入待停止を示す分類情報とが関連付けられる。
【００４０】
また、表示制御手段により、前記両分類情報の関連付けを示すオブジェクトが表示画面に表示される。
【００４１】
それゆえ、作業員が停止原因情報を入力する場合には、作業員は、表示画面上において、外部からの指示により停止した生産設備または自設備の不具合により停止した生産設備と、該停止の影響を被って停止した一つ下流側の生産設備との関係をより明確に把握できる。また、生産ラインの管理者が、生産設備の稼動状況を解析する場合にも、管理者は、表示画面上において、外部からの指示により停止した生産設備または自設備の不具合により停止した生産設備と、該停止の影響を被って停止した一つ下流側の生産設備との関係をより明確に把握できる。
【００４２】
したがって、何れの場合においても、外部からの指示により停止した生産設備または自設備の不具合により停止した生産設備と、該停止の影響を被って停止した一つ下流側の生産設備との関係をより明確に把握できるという効果を奏する。
【００４３】
また、本発明に係る情報処理装置は、上記の情報処理装置において、前記稼動状況取得手段が、さらに、前記ｎ＋１番目の生産設備よりも下流側に配された生産設備であって、かつ、前記ｎ＋１番目の生産設備から連続して配された生産設備に関し、搬入待停止を示す分類情報を受け付けることを特徴としている。
【００４４】
上記の構成によれば、稼動状況取得手段により、前記ｎ＋１番目の生産設備よりも下流側に配された生産設備であって、かつ、前記ｎ＋１番目の生産設備から連続して配された生産設備に関し、搬入待停止を示す分類情報が受け付けられる。
【００４５】
したがって、外部からの指示により停止した生産設備または自設備の不具合により停止した生産設備と、該停止の影響を被って停止した下流側の複数の生産設備との関係をより明確に把握できるという効果を奏する。
【００４６】
また、本発明に係る情報処理装置は、上記の情報処理装置において、前記稼動状況取得手段が、生産ラインにおいて上流側からｎ番目の生産設備に関し、前記強制停止または不具合停止を示す分類情報を受け付けると共に、上流側からｎ−１番目の生産設備に関し、搬出待停止を示す分類情報を受け付けた場合、前記関連付手段は、さらに、前記不具合停止を示した分類情報と、前記搬出待停止を示す分類情報とを関連付け、前記表示制御手段は、前記両分類情報の関連付けを示すオブジェクトと共に表示画面に表示することを特徴としている。
【００４７】
上記の構成によれば、稼動状況取得手段が、上記ｎ番目の生産設備に関し強制停止または不具合停止を示す分類情報を受け付けると共に、上記ｎ−１番目の生産設備に関し搬出待停止を示す分類情報を受け付けた場合、関連付手段により、さらに、前記強制停止または不具合停止を示した分類情報と、前記搬出待停止を示す分類情報とが関連付けられる。
【００４８】
それゆえ、作業員が停止原因情報を入力する場合には、作業員は、表示画面上において、外部からの指示により停止した生産設備または自設備の不具合により停止した生産設備と、該停止の影響を被って停止した一つ上流側の生産設備との関係をより明確に把握できる。また、生産ラインの管理者が、生産設備の稼動状況を解析する場合にも、管理者は、表示画面上において、外部からの指示により停止した生産設備または自設備の不具合により停止した生産設備と、該停止の影響を被って停止した一つ上流側の生産設備との関係をより明確に把握できる。
【００４９】
したがって、何れの場合においても、外部からの指示により停止した生産設備または自設備の不具合により停止した生産設備と、該停止の影響を被って停止した一つ上流側の生産設備との関係をより明確に把握できるという効果を奏する。
【００５０】
また、本発明に係る情報処理装置は、上記の情報処理装置において、前記稼動状況取得手段が、さらに、前記ｎ−１番目の生産設備よりも上流側に配された生産設備であって、かつ、前記ｎ−１番目の生産設備から連続して配された生産設備に関し、搬出待停止を示す分類情報を受け付けることを特徴としている。
【００５１】
上記の構成によれば、稼動状況取得手段により、前記ｎ−１番目の生産設備よりも上流側に配された生産設備であって、かつ、前記ｎ−１番目の生産設備から連続して配された生産設備に関し、搬出待停止を示す分類情報が受け付けられる。
【００５２】
したがって、外部からの指示により停止した生産設備または自設備の不具合により停止した生産設備と、該停止の影響を被って停止した上流側の複数の生産設備との関係をより明確に把握できるという効果を奏する。
【００５３】
また、本発明に係る情報処理装置は、上記の情報処理装置において、前記記憶装置には、前記分類情報毎に、１つ以上の停止原因情報が記憶されており、前記停止情報に関連する停止原因情報の入力の受け付けに際して、所定の指示を受け付けた場合、前記表示制御手段は、前記記憶された停止原因情報を選択可能にリスト表示することを特徴としている。
【００５４】
上記の構成によれば、記憶装置には、分類情報毎に、１つ以上の停止原因情報が記憶されている。
【００５５】
また、停止情報に関連する停止原因情報の入力の受け付けに際して、所定の指示を受け付けた場合、表示制御手段により、前記記憶された停止原因情報が選択可能にリスト表示される。
【００５６】
したがって、作業員が、上記所定の指示を入力することにより、簡易に停止原因情報を入力することが可能となるという効果を奏する。
【００５７】
また、本発明に係る情報処理装置は、上記の情報処理装置において、前記記憶装置に対し、停止原因情報を登録する登録手段を備えることを特徴としている。
【００５８】
上記の構成によれば、登録手段により、記憶装置に対し、停止原因情報を登録することができる。
【００５９】
したがって、作業員または管理者は、新たな停止原因情報を追加することが可能となるという効果を奏する。
【００６０】
また、本発明に係る情報処理装置は、上記の情報処理装置において、前記選択された停止原因情報の選択回数を、生産設備毎に集計する集計手段を備え、前記表示制御手段は、リスト表示時に、選択回数の多い順に停止原因情報を表示画面に表示することを特徴としている。
【００６１】
上記の構成によれば、集計手段により、前記選択された停止原因情報の選択回数が、生産設備毎に集計される。
【００６２】
また、表示制御手段により、リスト表示時に、選択回数の多い順に停止原因情報が表示画面に表示される。つまり、作業員が多く選択した順に、停止原因情報が表示される。
【００６３】
したがって、作業員は、停止原因情報が選択回数の多い順に並んでいない場合に比べて、停止原因情報の選択を迅速に行うことが可能となるという効果を奏する。
【００６４】
また、本発明に係る情報処理装置は、上記の情報処理装置において、前記記憶装置には、前記分類情報毎に、１つ以上の処置内容情報を示す情報が記憶されており、前記停止情報に関連する処置内容情報の入力の受け付けに際して、所定の指示を受け付けた場合、前記表示制御手段は、前記記憶された処置内容情報を選択可能にリスト表示することを特徴としている。
【００６５】
上記の構成によれば、記憶装置には、分類情報毎に、１つ以上の処置内容情報が記憶されている。
【００６６】
また、停止情報に関連する処置内容情報の入力の受け付けに際して、所定の指示を受け付けた場合、表示制御手段により、前記記憶された処置内容情報が選択可能にリスト表示される。
【００６７】
したがって、作業員が、上記所定の指示を入力することにより、簡易に処置内容情報を入力することが可能となるという効果を奏する。
【００６８】
また、本発明に係る情報処理装置は、上記の情報処理装置において、前記記憶装置に対し、処置内容情報を登録する登録手段を備えることを特徴としている。
【００６９】
上記の構成によれば、登録手段により、記憶装置に対し、処置内容情報を登録することができる。
【００７０】
したがって、作業員または管理者は、新たな処置内容情報を追加することが可能となるという効果を奏する。
【００７１】
また、本発明に係る情報処理装置は、上記の情報処理装置において、前記選択された処置内容情報の選択回数を、生産設備毎に集計する集計手段を備え、前記表示制御手段は、リスト表示時に、選択回数の多い順に処置内容情報を表示画面に表示することを特徴としている。
【００７２】
上記の構成によれば、集計手段により、前記選択された処置内容情報の選択回数が、生産設備毎に集計される。
【００７３】
また、表示制御手段により、リスト表示時に、選択回数の多い順に処置内容情報が表示画面に表示される。つまり、作業員が多く選択した順に、処置内容情報が表示される。
【００７４】
したがって、作業員は、処置内容情報が選択回数の多い順に並んでいない場合に比べて、処置内容情報の選択を迅速に行うことが可能となるという効果を奏する。
【００７５】
また、本発明に係る情報処理装置は、上記の情報処理装置において、全ての停止情報に関連する停止原因情報の入力が完了したか否かを判定する判定手段を備え、入力が完了していないと判定された場合、前記表示制御手段は、表示画面に所定の警告を表示することを特徴としている。
【００７６】
上記の構成によれば、判定手段により、全ての停止情報に関連する停止原因情報の入力が完了したか否かが判定される。
【００７７】
また、入力が完了していないと判定された場合、表示制御手段により、表示画面に所定の警告が表示される。
【００７８】
したがって、作業員による停止原因情報の入力漏れを防止することが可能となるという効果を奏する。
【００７９】
また、本発明に係る情報処理装置は、上記の情報処理装置において、全ての停止情報に関連する停止原因情報の入力が完了したか否かを判定する判定手段と、前記入力が完了していないと判定された場合、警告音を発生する警告音発生手段とを備えることを特徴としている。
【００８０】
上記の構成によれば、判定手段により、全ての停止情報に関連する停止原因情報の入力が完了したか否かが判定される。
【００８１】
前記入力が完了していないと判定された場合、警告音発生により、警告音が発せられる。
【００８２】
したがって、作業員による停止原因情報の入力漏れを防止することが可能となるという効果を奏する。
【００８３】
また、本発明に係る情報処理装置は、上記の情報処理装置において、作業員を識別する識別情報の入力を受け付ける識別情報受付手段と、各作業員を識別する識別情報と、各作業員が担当する生産設備を示す情報とを対応付けて記憶したサーバ装置から、前記受け付けた識別情報に基づいて、生産設備を示す情報を取得する担当情報取得手段とを備え、前記表示制御手段は、前記取得された情報に示された生産設備に関し、前記記憶された前記稼動情報および前記関連付けされた情報を、時系列で、併せて表示画面に表示させることを特徴としている。
【００８４】
上記の構成によれば、識別情報受付手段により、作業員を識別する識別情報の入力が受け付けられる。
【００８５】
また、担当情報取得手段により、各作業員を識別する識別情報と、各作業員が担当する生産設備を示す情報とを対応付けて記憶したサーバ装置から、前記受け付けた識別情報に基づいて、生産設備を示す情報が取得される。
【００８６】
さらに、表示制御手段により、前記取得された情報に示された生産設備に関し、前記記憶された前記稼動情報および前記関連付けされた情報が、時系列で、併せて表示画面に表示される。つまり、識別情報で特定される作業員が担当した生産設備に関し、前記記憶された前記稼動情報および前記関連付けされた情報が、時系列で、併せて表示画面に表示される。
【００８７】
それゆえ、上記の作業員が、少なくとも停止原因情報を入力する際には、該作業員が担当した生産設備以外の稼動情報および前記関連付けされた情報は、表示画面には表示されない。
【００８８】
したがって、作業員の迅速な情報の入力が可能となるという効果を奏する。
【００８９】
また、本発明に係る情報処理装置は、上記の情報処理装置において、前記サーバ装置には、さらに、各作業員の担当時間を示した担当時間情報が記憶されており、前記担当情報取得手段は、さらに、前記受け付けた識別情報に基づいて、前記担当時間情報を取得し、前記表示制御手段は、特定された担当時間に関する、前記記憶された前記稼動情報および前記関連付けされた情報を、時系列で、併せて表示画面に表示させることを特徴としている。
【００９０】
上記の構成によれば、サーバ装置には、さらに、各作業員の担当時間を示した担当時間情報が記憶されており、担当情報取得手段により、前記受け付けた識別情報に基づいて、前記担当時間情報が取得される。
【００９１】
また、表示制御手段により、特定された担当時間に関する、前記記憶された前記稼動情報および前記関連付けされた情報が、時系列で、併せて表示画面に表示される。
【００９２】
それゆえ、上記の作業員が、少なくとも停止原因情報を入力する際には、該作業員が担当した時間以外の稼動情報および前記関連付けされた情報は、表示画面には表示されない。
【００９３】
したがって、作業員の迅速な情報の入力が可能となるという効果を奏する。
【００９４】
本発明に係る稼動状況管理装置は、上記の課題を解決するために、上記の情報処理装置と、前記稼動情報および前記停止情報に基づいて前記分類情報を生成すると共に、この生成した分類情報を前記情報処理装置に送信する分類情報生成装置とを備えることを特徴としている。
【００９５】
上記の構成によれば、分類情報生成装置により、前記稼動情報および前記停止情報に基づいて前記分類情報が生成されると共に、この生成された分類情報が前記情報処理装置に送信される。それゆえ、情報処理装置は、分類情報を受け付けることができる。
【００９６】
したがって、分類情報を生成すると共に、この分類情報を用いて、該分類情報に応じた識別情報を上記表示領域に対応付けて表示すること、あるいは、上記入力用領域に分類情報に応じた情報を表示することが可能な稼動状況管理装置を提供できるという効果を奏する。
【００９７】
本発明に係る情報処理方法は、上記の課題を解決するため、生産ラインにおける生産設備の稼動を示した稼動情報および該設備の停止を示した停止情報を、生産設備毎に順次取得する稼動状況取得ステップと、前記生産設備の停止の原因を示した停止原因情報の入力を、生産設備毎に受け付ける停止原因受付ステップと、少なくとも前記停止情報に前記停止原因情報を関連付けると共に、前記稼動情報および前記関連付けた情報を記憶装置に記憶させる関連付ステップと、複数の生産設備に関する、前記記憶された前記稼動情報および前記関連付けされた情報を、時系列で、併せて表示画面に表示させる表示ステップとを備えることを特徴としている。
【００９８】
上記の方法によれば、稼動状況取得ステップにより、生産ラインにおける生産設備の稼動を示した稼動情報および該設備の停止を示した停止情報が、生産設備毎に順次取得される。また、停止原因受付ステップにより、前記生産設備の停止の原因を示した停止原因情報の入力が、生産設備毎に受け付けられる。さらに、関連付ステップにより、少なくとも前記停止情報に前記停止原因情報が関連付けられると共に、前記稼動情報および前記関連付けた情報が記憶装置に記憶される。
【００９９】
これにより、記憶装置には、稼動情報、停止情報、および、該停止情報に関連した停止原因情報が、生産設備毎に順次記憶される。
【０１００】
そして、表示ステップにより、複数の生産設備に関する、前記記憶された前記稼動情報および前記関連付けされた情報が、時系列で、併せて表示画面に表示される。このため、停止原因情報を用いて、生産設備の稼動状況を解析する際に、複数の生産設備の稼動状況に関する時系列に沿った表示を行うことができる。
【０１０１】
それゆえ、生産ラインにおいて各生産設備の稼動の停止が、どのように連動して起こっているかを判断できる。
【０１０２】
したがって、生産設備の稼動状況の解析を容易とする情報処理方法を提供できるという効果を奏する。
【０１０３】
本発明に係るプログラムは、以上のように、上記譲歩処理装置の各手段としてコンピュータを機能させるためのプログラムである。
【０１０４】
したがって、上記プログラムをコンピュータシステムにロードすることによって、上記情報処理装置をユーザに提供することが可能となるという効果を奏する。
【０１０５】
本発明に係る記録媒体は、以上のように、上記プログラムを記録したコンピュータ読み取り可能な記録媒体である。
【０１０６】
したがって、上記記録媒体に記録されているプログラムをコンピュータシステムにロードすることによって、上記情報処理装置をユーザに提供することが可能となるという効果を奏する。
【発明の効果】
【０１０７】
本発明に係る情報処理装置は、以上のように、生産ラインにおける生産設備の稼動を示した稼動情報および該設備の停止を示した停止情報を、生産設備毎に順次取得する稼動状況取得手段と、前記生産設備の停止の原因を示した停止原因情報の入力を、生産設備毎に受け付ける停止原因受付手段と、少なくとも前記停止情報に前記停止原因情報を関連付けると共に、前記稼動情報および前記関連付けた情報を記憶装置に記憶させる関連付手段と、複数の生産設備に関する、前記記憶された前記稼動情報および前記関連付けされた情報を、時系列で、併せて表示画面に表示させる表示制御手段とを備える構成である。
【０１０８】
したがって、生産設備の稼動状況の解析を容易とする情報処理装置を提供できるという効果を奏する。
【０１０９】
本発明に係る稼動状況管理装置は、以上のように、上記の情報処理装置と、前記稼動情報および前記停止情報に基づいて前記分類情報を生成すると共に、この生成した分類情報を前記情報処理装置に送信する分類情報生成装置とを備える構成である。
【０１１０】
したがって、分類情報を生成すると共に、この分類情報を用いて、該分類情報に応じた識別情報を上記表示領域に対応付けて表示すること、あるいは、上記入力用領域に分類情報に応じた情報を表示することが可能な稼動状況管理装置を提供できるという効果を奏する。
【０１１１】
本発明に係る情報処理方法は、以上のように、生産ラインにおける生産設備の稼動を示した稼動情報および該設備の停止を示した停止情報を、生産設備毎に順次取得する稼動状況取得ステップと、前記生産設備の停止の原因を示した停止原因情報の入力を、生産設備毎に受け付ける停止原因受付ステップと、少なくとも前記停止情報に前記停止原因情報を関連付けると共に、前記稼動情報および前記関連付けた情報を記憶装置に記憶させる関連付ステップと、複数の生産設備に関する、前記記憶された前記稼動情報および前記関連付けされた情報を、時系列で、併せて表示画面に表示させる表示ステップとを備える方法である。
【０１１２】
したがって、生産設備の稼動状況の解析を容易とする情報処理方法を提供できるという効果を奏する。
【０１１３】
本発明に係るプログラムは、以上のように、上記譲歩処理装置の各手段としてコンピュータを機能させるためのプログラムである。
【０１１４】
したがって、上記プログラムをコンピュータシステムにロードすることによって、上記情報処理装置をユーザに提供することが可能となるという効果を奏する。
【０１１５】
本発明に係る記録媒体は、以上のように、上記プログラムを記録したコンピュータ読み取り可能な記録媒体である。
【０１１６】
したがって、上記記録媒体に記録されているプログラムをコンピュータシステムにロードすることによって、上記情報処理装置をユーザに提供することが可能となるという効果を奏する。
【発明を実施するための最良の形態】
【０１１７】
本発明の一実施形態について図１ないし図２６に基づいて説明すると以下の通りである。
【０１１８】
図２は、本実施の形態に係る生産ライン管理システムの概略構成を示した図である。同図に示すとおり、生産ライン管理システム１は、センサ１０ａ〜１０ｃ、ＰＬＣ（programable Logic controller）１１ａ〜１１ｃ、ＰＬＣ１２ａ〜１２ｃ、稼動状況管理装置１６、ビデオカメラ１３、映像切出装置１４、および、サーバ装置１５を備えている。また、稼動状況管理装置１６は、同図に示すとおり、停止原因分類装置（分類情報生成装置）２０、入力装置２１、情報処理装置２３、表示装置２２、および、出力装置２４を備えている。
【０１１９】
各センサ（１０ａ〜１０ｃ）は、同一の周期かつ同一時刻に、サンプリングを行う。
【０１２０】
ここで、生産ライン管理システム１が管理する生産ラインは、複数の生産設備（同図では、一部の生産設備（Ｍ１・Ｍ２・Ｍ３）のみ図示）により構成されているものとする。また、本実施の形態では、一人の作業員が複数の生産設備を担当するものとする。
【０１２１】
さらに、各生産設備は、自装置の稼動を停止させるための停止ボタンを備えているものとする。さらに、各生産設備（Ｍ１・Ｍ２・Ｍ３）は、停止ボタンが押し下げられた状態（つまり、停止状態）であるか否かを示す信号を、それぞれ、各ＰＬＣ（１２ａ・１２ｂ・１２ｃ）に対して出力するものとする。つまり、各生産設備は、自生産設備が稼動を停止させられたか否かを示す信号を出力する。また、上記信号は、各センサ（１０ａ〜１０ｃ）からの出力と同期した状態で出力される。つまり、上記信号は、各センサの出力と同一の周期かつ同一時刻に出力される。
【０１２２】
センサ１０ａは、生産設備Ｍ１と、この生産設備Ｍ１の１つ上流側の生産設備（図示せず）との間に配置されている。センサ１０ａは、生産ライン上の所定の位置にワークが存在するか否かを、所定の周期（サンプリング周期）で検知する。そして、センサ１０ａは、ワークの有無を示す信号をＰＬＣ１１ａに対して、逐次出力する。
【０１２３】
ＰＬＣ１１ａは、センサ１０ａからの出力を、逐次受け付ける。そして、ＰＬＣ１１ａは、上記受け付けた出力を、日時を示した日時情報と対応付ける。そして、ＰＬＣ１１ａは、この対応付けた情報（以下、第１対応付情報）を、稼動状況管理装置１６内の停止原因分類装置２０へ逐次送る。ここで、ワークが有ることを示す信号を受け付けた場合には、ＰＬＣ１１ａは、例えば、図３に示すような第１対応付情報を停止原因分類装置２０へ送る。一方、ワークがないことを示す信号を受け付けた場合には、ＰＬＣ１１ａは、例えば、図４に示すような第１対応付情報を停止原因分類装置２０へ送る。
【０１２４】
なお、図３においては、ワークが有ることを示す「出力１」というデータが、日時情報と対応付けられている。また、図４においては、ワークが無いことを示す「出力０」というデータが、日時情報と対応付けられている。
【０１２５】
センサ１０ｂは、生産設備Ｍ１と、生産設備Ｍ２との間に配置されている。センサ１０ｂは、生産ライン上の所定の位置にワークが存在するか否かを、所定の周期で検知する。そして、センサ１０ｂは、ワークの有無を示す信号をＰＬＣ１１ｂに対して、逐次出力する。
【０１２６】
ＰＬＣ１１ｂは、センサ１０ｂからの出力を、逐次受け付ける。そして、ＰＬＣ１１ｂは、上記受け付けた出力を、日時を示した日時情報と対応付ける。そして、ＰＬＣ１１ｂは、この対応付けた情報（以下、第２対応付情報）を、稼動状況管理装置１６内の停止原因分類装置２０へ逐次送る。なお、ＰＬＣ１１ｂが送る第２対応付情報は、ＰＬＣ１１ａが送る第１対応付情報と同じ形式の情報である。
【０１２７】
センサ１０ｃは、生産設備Ｍ２と、この生産設備Ｍ２の１つ下流側の生産設備（図示せず）の間に配置されている。センサ１０ｃは、生産ライン上の所定の位置にワークが存在するか否かを、所定の周期で検知する。そして、センサ１０ｃは、ワークの有無を示す信号をＰＬＣ１１ｃに対して、逐次出力する。
【０１２８】
ＰＬＣ１１ｃは、センサ１０ｂからの出力を、逐次受け付ける。そして、ＰＬＣ１１ｃは、上記受け付けた出力を、日時を示した日時情報と対応付ける。そして、ＰＬＣ１１ｃは、この対応付けた情報（以下、第３対応付情報）を、稼動状況管理装置１６内の停止原因分類装置２０へ逐次送る。なお、ＰＬＣ１１ｃが送る第３対応付情報は、ＰＬＣ１１ａおよび１１ｂが送る、第１および第２対応付情報と同じ形式の情報である。
【０１２９】
ＰＬＣ１２ａは、生産設備Ｍ１から、生産設備Ｍ１が稼動を停止させられたか否かを示す信号を、逐次受け付ける。そして、ＰＬＣ１２ａは、この受け付けた信号を、日時を示した日時情報と対応付ける。そして、この対応付けた情報（以下、第４対応付情報）を、稼動状況管理装置１６内の停止原因分類装置２０へ送る。ここで、稼動を停止させられたことを示す信号を受け付けた場合には、例えば、図５に示すような第４対応付情報を送る。一方、稼動を停止させられたことを示していない信号を受け付けた場合には、例えば、図６に示すような第４対応付情報を送る。
【０１３０】
なお、図５においては、生産設備の稼動が停止させられていることを示す「出力１」というデータが、日時情報と対応付けられている。また、図６においては、生産設備の稼動が停止させられていないことを示す「出力０」というデータが、日時情報と対応付けられている。
【０１３１】
ＰＬＣ１２ｂは、生産設備Ｍ２から、生産設備Ｍ２が稼動を停止させられたか否かを示す信号を、逐次受け付ける。そして、ＰＬＣ１２ｂは、この受け付けた信号を、日時を示した日時情報と対応付ける。そして、この対応付けた情報（以下、第５対応付情報）を、稼動状況管理装置１６内の停止原因分類装置２０へ送る。なお、ＰＬＣ１２ｂが送る第５対応付情報は、ＰＬＣ１２ａが送る第４対応付情報と同じ形式の情報である。
【０１３２】
ＰＬＣ１２ｃは、生産設備Ｍ３から、生産設備Ｍ３が稼動を停止させられたか否かを示す信号を、逐次受け付ける。そして、ＰＬＣ１２ｃは、この受け付けた信号を、日時を示した日時情報と対応付ける。そして、この対応付けた情報（以下、第６対応付情報）を、稼動状況管理装置１６内の停止原因分類装置２０へ送る。なお、ＰＬＣ１２ｃが送る第３対応付情報は、ＰＬＣ１２ａおよび１２ｂが送る第４および第５対応付情報と同じ形式の情報である。
【０１３３】
ビデオカメラ１３は、生産ラインにおける生産設備近辺の映像（動画像）を撮影する。さらに、ビデオカメラ１３は、この映像を、逐次、日時を示す日時情報と対応付ける。そして、ビデオカメラ１３は、日時情報が対応付された映像を映像切出装置１４に送る。
【０１３４】
映像切出装置１４は、ビデオカメラから上記映像を受け付ける。そして、映像切出装置１４は、稼動状況管理装置１６から所定の指示を受けた場合には、受け付けた映像から所定の映像を切り出し、この切り出した映像を稼動状況管理装置１６に送る。
【０１３５】
サーバ装置１５は、各作業員を識別する識別情報と、各作業員が担当する生産設備を示す情報とを対応付けて記憶している。また、サーバ装置１５は、各作業員の識別情報に対応付けて、各作業員の担当時間を示した担当時間情報を記憶している。
【０１３６】
次に、稼動状況管理装置１６の各部（２０〜２４）について説明する。
【０１３７】
まず、停止原因分類装置２０について説明する。図７は、停止原因分類装置２０の構成を示したブロック図である。同図に示すとおり、停止原因分類装置２０は、データ書込・読出部（３０〜３２）、データ格納部（３３〜３５）、状態検出部３６、および、設備状態特定部３７を備えている。
【０１３８】
データ書込・読出部３０は、ＰＬＣ（１１ａ・１１ｂ・１１ｃ）から、ＰＬＣ毎に上記第１〜第３対応付情報を受け付ける。そして、データ書込・読出部３０は、この受け付けた対応付情報を、順次、データ格納部３３に書き込む。
【０１３９】
図８は、データ格納部３３に記憶された、一連の第１対応付情報（第１対応付情報群）を示した図である。また、図９は、データ格納部３３に記憶された、一連の第２対応付情報（第２対応付情報群）を示した図である。なお、図８および図９は、センサ１０ａおよび１０ｂのサンプリング周期を１秒とした場合を示している。なお、サンプリング周期は、各生産設備のタクトタイム（１つのワークの処理時間）を考慮し、少なくとも、タクトタイムが一番小さな生産設備のタクトタイム以下とする必要がある。
【０１４０】
また、第３対応付情報についても、順次、データ格納部３３に記憶される。その結果、データ格納部３３には、第１および第２対応付情報と同様な形式で、一連の第３対応付情報（第３対応付情報群）が記憶される。
【０１４１】
データ書込・読出部３１は、ＰＬＣ（１２ａ・１２ｂ・１２ｃ）から、ＰＬＣ毎に上記第４〜第６対応付情報を受け付ける。そして、データ書込・読出部３１は、この受け付けた対応付情報を、順次、データ格納部３４に書き込む。図１０は、データ格納部３４に記憶された、一連の第４対応付情報を示した図である。また、第５および６対応付情報についても、第４対応付情報と同様な形式で、データ格納部３４に記憶される。
【０１４２】
状態検出部３６は、センサ（１０ａ〜１０ｃ）の信号の出力時刻毎に、各センサ（１０ａ〜１０ｃ）が設置された地点において、ワークが通過しているか否かを検出する。そして、状態検出部３６は、検出結果に応じたフラグを各対応付情報に付す。さらに、状態検出部３６は、上記フラグが付された一連の各対応付情報（各対応付情報群）を、設備状態特定部３７に送る。
【０１４３】
以下、状態検出部３６が、センサ１０ａが設置された地点をワークが通過したか否かを検出し、上記フラグを付す場合を例に挙げて、上記検出の仕方を具体的に説明する。
【０１４４】
まず、状態検出部３６は、センサ１０ａに関するデータである一連の第１対応付情報を、データ書込・読出部３０を介してデータ格納部３３から取得する。この後、状態検出部３６は、所定の期間の各出力に基づいて、上記期間において出力の変化があるか否かを判断する。そして、変化している場合には、期間の最初の時刻を示した第１対応付情報に、「通過」というフラグを付す。一方、変化していない場合には、上記最初の時刻を示した第１対応付情報に、「停止」というフラグを付す。ここで、図８および図１１を用いて説明すると、以下の通りである。
【０１４５】
まず、状態検出部３６は、図８に示すように、１１時２５分３４秒以降の第１対応付情報を取得する。そして、１１時２５分３４秒から１１時２５分３７秒の期間における各出力（４つの出力）に基づいて、上記期間において出力の変化があるか否かを判断する。この場合、上記期間においては、出力が変化しているため、１１時２５分３４秒（期間の最初の時刻）を示した第１対応付情報に、「通過」というフラグを付す。
【０１４６】
次に、期間の時刻を１秒後にずらして、この期間（つまり、１１時２５分３５秒から１１時２５分３８秒の期間）において出力の変化があるか否かを判断し、１１時２５分３５秒を示した第１対応付情報に、判断結果に応じたフラグを付す。この場合には、「通過」というフラグを付す。
【０１４７】
以後、順に、期間の時刻を１秒後にずらして、上記と同様の処理を行う。ここで、例えば、１１時２５分４２秒から１１時２５分４５秒の期間においては、出力の変化がないため、１１時２５分４２秒を示した第１対応付情報に、「停止」というフラグを付す。
【０１４８】
また、状態検出部３６は、「通過」というフラグが付された第１対応付情報であって、かつ、出力の値が「０」である第１対応付情報に関しては、出力の値を「０」から「１」に変更する。このような変更を行う理由は、「出力０ 通過」と「出力１ 通過」を特に区別する必要がないためである。
【０１４９】
以上の処理により、図１１に示すような、上記フラグが付された、第１対応付情報群を得ることができる。また、同様の処理により、上記フラグが付された、第２および第３対応付情報群を得ることができる。図１２は、上記フラグを付した第２対応付情報群を示している。
【０１５０】
なお、上記においては、フラグの付与にあたり、期間を４秒とした（つまり、４つのデータを用いた）が、これに限定されるものではない。しかしながら、生産ラインにおいてタクトタイムが最大値の生産設備により、ライン速度が決定されることを考慮すると、上記期間を、タクトタイムの最大値とすることが好ましい。
【０１５１】
また、状態検出部３６は、各生産設備（Ｍ１〜Ｍ３）に関するデータである各一連の対応付情報（対応付情報群）を、データ書込・読出部３１を介してデータ格納部３４から取得する。そして、この対応付情報群（第４〜第６対応付情報群）を、設備状態特定部３７に送る。
【０１５２】
設備状態特定部３７は、状態検出部３６から、上記フラグが付された一連の各対応付情報（各対応付情報群）を受け付ける。なお、以下では、フラグが付された対応付情報群を、フラグ付与情報群（詳しくは、第１フラグ付与情報群、第２フラグ付与情報群、第３フラグ付与情報群）と称すると共に、該フラグ付与情報群を構成する各情報（つまり、フラグが付された対応付情報）をフラグ付与情報と称する。
【０１５３】
設備状態特定部３７は、生産設備と該生産設備の１つ上流側の生産設備との間に設置されたセンサの出力に基づいて生成されたフラグ付与情報群と、生産設備と該生産設備の１つ下流側の生産設備との間に設置されたセンサの出力に基づいて生成されたフラグ付与情報群とに基づいて、生産設備の稼動状況を生産設備毎かつ時刻毎に特定する。そして、設備状態特定部３７は、時刻毎に識別された生産設備の稼動状況を示した情報（詳しくは、生産設備の稼動を示した稼動情報、または、該設備の停止を示した停止情報）を、データ書込・読出部３２を介して、データ格納部３５に記憶させる。
【０１５４】
ここで、以下に、生産設備の稼動状況の特定の仕方について、具体的に説明する。なお、ここでは、生産設備Ｍ１の稼動状況の特定を例に挙げて説明する。ただし、生産設備Ｍ２および生産設備Ｍ３に関しても、生産設備Ｍ１と同様である。
【０１５５】
設備状態特定部３７は、状態検出部３６から受け付けた、第４対応付情報群の各対応付情報における「出力」および該出力の「値」に関する情報を消去すると共に、各対応付情報に新たな情報を付加する。具体的には、出力の値が「１」の場合には、「作業員による停止」という新たな情報を付加する。なお、「作業員による停止」という情報が付加された対応付情報（以下、作業員停止（強制停止）情報）は、上記設備の停止を示した停止情報に該当する。
【０１５６】
一方、出力の値が「０」の場合には、以下に示す処理が行われる。設備状態特定部３７は、或る時刻についての第１フラグ付与情報と、該時刻についての第２フラグ付与情報とに基づいて、該時刻についての第４対応付情報に、以下の新たな情報を付加する。
【０１５７】
まず、設備状態特定部３７が、第１フラグ付与情報が「出力１ 通過」という情報を含んでおり、かつ、第２フラグ付与情報が「出力１ 通過」という情報を含んでいると判断した場合には、設備状態特定部３７は、図１３に示すように、生産設備Ｍ１は稼動していると判断する（同図のパターン１に対応）。そして、設備状態特定部３７は、例えば図１４に示すように、新たな情報として「稼動」という情報を付加する。なお、「稼動」という情報が付加された対応付情報は、上記設備の稼動を示した稼動情報に該当する。
【０１５８】
また、設備状態特定部３７が、第１フラグ付与情報が「出力１ 通過」という情報を含んでおり、かつ、第２フラグ付与情報が「出力１ 停止」という情報を含んでいると判断した場合には、設備状態特定部３７は、図１３に示すように、生産設備Ｍ１は稼動していると判断する（同図のパターン２に対応）。そして、設備状態特定部３７は、新たな情報として「稼動」という情報を付加する。
【０１５９】
また、設備状態特定部３７が、第１フラグ付与情報が「出力１ 通過」という情報を含んでおり、かつ、第２フラグ付与情報が「出力０ 停止」という情報を含んでいると判断した場合には、設備状態特定部３７は、図１３に示すように、生産設備Ｍ１は稼動していると判断する（同図のパターン３に対応）。そして、設備状態特定部３７は、新たな情報として「稼動」という情報を付加する。
【０１６０】
また、設備状態特定部３７が、第１フラグ付与情報が「出力１ 停止」という情報を含んでおり、かつ、第２フラグ付与情報が「出力１ 通過」という情報を含んでいると判断した場合には、設備状態特定部３７は、図１３に示すように、生産設備Ｍ１がトラブルにより停止していると判断する（同図のパターン４に対応）。そして、設備状態特定部３７は、例えば図１４に示すように、新たな情報として「トラブル停止」という情報を付加する。なお、「トラブル停止」という情報が付加された対応付情報（以下、トラブル停止情報）は、上記設備の停止を示した停止情報に該当する。
【０１６１】
また、設備状態特定部３７が、第１フラグ付与情報が「出力１ 停止」という情報を含んでおり、かつ、第２フラグ付与情報が「出力１ 停止」という情報を含んでいると判断した場合には、設備状態特定部３７は、図１３に示すように、生産設備Ｍ１がワークの搬出待ちにより停止していると判断する（同図のパターン５に対応）。そして、設備状態特定部３７は、例えば図１５に示すように、新たな情報として「搬出待停止」という情報を付加する。なお、「搬出待停止」という情報が付加された対応付情報（以下、搬出待停止情報）は、上記設備の停止を示した停止情報に該当する。
【０１６２】
また、設備状態特定部３７が、第１フラグ付与情報が「出力１ 停止」という情報を含んでおり、かつ、第２フラグ付与情報が「出力０ 停止」という情報を含んでいると判断した場合には、設備状態特定部３７は、図１３に示すように、生産設備Ｍ１はトラブルにより停止していると判断する（同図のパターン６に対応）。そして、設備状態特定部３７は、新たな情報として「トラブル停止」という情報を付加する。
【０１６３】
また、設備状態特定部３７が、第１フラグ付与情報が「出力０ 停止」という情報を含んでおり、かつ、第２フラグ付与情報が「出力１ 通過」という情報を含んでいると判断した場合には、設備状態特定部３７は、図１３に示すように、生産設備Ｍ１がワークの搬入待ちにより停止していると判断する（同図のパターン７に対応）。そして、設備状態特定部３７は、新たな情報として「搬入待停止」という情報を付加する。なお、「搬入待停止」という情報が付加された対応付情報（以下、搬入待停止情報）は、上記設備の停止を示した停止情報に該当する。
【０１６４】
また、設備状態特定部３７が、第１フラグ付与情報が「出力０ 停止」という情報を含んでおり、かつ、第２フラグ付与情報が「出力１ 停止」という情報を含んでいると判断した場合には、設備状態特定部３７は、図１３に示すように、生産設備Ｍ１がワークの搬入待ちにより停止していると判断する（同図のパターン８に対応）。そして、設備状態特定部３７は、新たな情報として「搬入待停止」という情報を付加する。
【０１６５】
また、設備状態特定部３７が、第１フラグ付与情報が「出力０ 停止」という情報を含んでおり、かつ、第２フラグ付与情報が「出力０ 停止」という情報を含んでいると判断した場合には、設備状態特定部３７は、図１３に示すように、生産設備Ｍ１がワークの搬入待ちにより停止していると判断する（同図のパターン９に対応）。そして、設備状態特定部３７は、新たな情報として「搬入待停止」という情報を付加する。
【０１６６】
なお、上記作業員停止（強制停止）情報、トラブル停止（不具合停止）情報、搬入待停止情報、および、搬出待停止情報は、特許請求の範囲に記載の分類情報に該当する。
【０１６７】
データ書込・読出部３２は、さらに、情報処理装置２３から所定の指示を受け付けた場合、データ格納部３５に記憶された上記情報（稼動情報および停止情報）を読み出し、この読み出した情報を情報処理装置２３に送る。
【０１６８】
ここで、停止原因分類装置２０における処理フローを、図１６に基づいて説明する。
【０１６９】
まず、データ書込・読出部３０およびデータ書込・読出部３１が、各ＰＬＣから、ＰＬＣ毎に各対応付情報を受け付けると共に、この受け付けた対応付情報を、順次、各データ格納部（３３・３４）に書き込む（Ｓ１）。Ｓ１の後は、状態検出部３６が、データ格納部３３から対応付情報を読み出す（Ｓ２）。Ｓ２の後は、状態検出部３６が、時刻毎に、各センサが設置された箇所をワークが通過したか否かを検出する（Ｓ３）。
【０１７０】
Ｓ３において、ある時刻においてワークが通過したことが検出された場合には、状態検出部３６は、ＰＬＣ１１ａ〜１１ｃを介して得られた情報であって、かつ、この時刻を示す日時情報を含んだ対応付情報に対して、「通過」というフラグを付す（Ｓ４）。一方、Ｓ３において、或る時刻においてワークが通過してことが検出されなかった場合には、状態検出部３６は、ＰＬＣ１１ａ〜１１ｃを介して得られた情報であって、かつ、この時刻を示す日時情報を含んだ対応付情報に対して、「停止」というフラグを付す（Ｓ５）。
【０１７１】
Ｓ４およびＳ５の後は、データ格納部３３から読み出した全ての対応付情報に、フラグが付されたか否かが、状態検出部３６により判断される（Ｓ６）。
【０１７２】
Ｓ６において、上記全ての対応付情報にフラグが付されていないと判断された場合には、再度、Ｓ３に戻る。一方、Ｓ６において、上記全ての対応付情報にフラグが付されていると判断された場合には、設備状態特定部３７が、生産設備の上流側のセンサの出力に基づいて得られた、上記フラグが付された対応付情報（フラグ付与情報）と、該生産設備の下流側のセンサの出力に基づいて得られた、上記フラグが付された対応付情報と、該生産設備に対応して設けられたＰＬＣ（つまり、ＰＬＣ１２ａ、ＰＬＣ１２ｂ、または、ＰＬＣ１２ｃ）の出力とから、生産設備の稼動状況を特定する（Ｓ７）。
【０１７３】
Ｓ７の後は、設備状態特定部３７は、データ書込・読出部３２を介して、時刻毎に識別された稼動状況を示した情報（稼動情報・停止情報）を、データ格納部３５に記憶させる（Ｓ８）。以上により、一連の処理が終了する。
【０１７４】
入力装置２１は、作業員および生産ライン管理者による、情報の入力を受け付ける。入力装置２１は、例えば、キーボードやタッチパネル等で構成される。作業員が入力する情報としては、生産設備の停止原因を示す停止原因情報、生産設備の処置内容を示す処置内容情報、作業員の識別情報を示す識別情報、および、表示装置２２における表示内容を指示する指示情報等が挙げられる。また、管理者が入力する情報としては、データ検索を行う際の検索情報が挙げられる。
【０１７５】
表示装置２２は、情報処理装置２３から送らてくる情報（後述する描画データ）を受け付ける。そして、表示装置２２は、表示装置２２の表示画面（図示せず）に、受け付けた情報に基づく画像の表示を行う。
【０１７６】
ここで、情報処理装置２３について説明する。情報処理装置２３は、図１に示すとおり、稼動状況取得部（稼働状況取得手段）４０、データ関連付部（関連付手段）４１、映像データ取得部（映像情報取得手段）４２、ＩＤ情報受付部（識別情報受付手段）４３、担当情報取得部（担当情報取得手段）４４、表示制御部（表示制御手段）４５、停止原因受付部（停止原因受付手段）４６、処置内容受付部（処置内容受付手段）４７、判定部（判定手段）４８、警告音発生部（警告音発生手段）４９、データ送信部５０、および、記憶装置５１を備えている。また、記憶装置５１は、メモリ５１ａと主記憶部５１ａとを備えている。
【０１７７】
稼動状況取得部４０は、停止原因分類装置２０のデータ書込・読出部３２に対して、上述した所定の指示を送る。そして、稼動状況取得部４０は、停止原因分類装置２０のデータ格納部３５に記憶された、上記時刻毎に生産設備の稼動状況を示した情報（稼動状況情報）を受け付ける。つまり、稼動状況取得部４０は、例えば図１４、１５、および、１７に示したような、生産設備の稼動を示した稼動情報と、該設備の停止を示した停止情報（作業員停止情報・トラブル停止情報・搬出待停止情報・搬入待停止情報）とを、生産設備毎に順次取得する。さらに、稼動状況取得部４０は、この取得した情報をデータ関連付部４１に送る。
【０１７８】
データ関連付部４１は、稼動状況取得部４０より上記稼動状況情報を、生産設備毎に受け付ける。そして、データ関連付部４１は、停止情報に含まれる時刻情報を映像データ取得部４２に送る。
【０１７９】
映像データ取得部４２は、データ関連付部４１から上記時刻情報を受け付ける。そして、この時刻情報で示される時刻の前後の時間を含めて、一定時間の映像情報を映像切出装置１４から取得する。この後、映像データ取得部４２は、取得した映像情報を、データ関連付部４１に送る。
【０１８０】
データ関連付部４１は、各停止情報と、該各停止情報に対応する時間の映像情報とを関連付け、この関連付けた情報をメモリ５１ａに記憶させる。なお、このメモリ５１ａとして、例えば、不揮発性のＲＡＭ（Random Access Memory）を用いることができる。
【０１８１】
ＩＤ情報受付部４３は、入力装置２１を介して入力された、作業員を識別するＩＤ情報を受け付ける。そして、ＩＤ情報受付部４３は、このＩＤ情報を担当情報取得部４４に送る。
【０１８２】
ここで、ＩＤ情報を入力する際の入力装置２１に対する操作は、作業員により行われる。この場合には、例えば、表示制御部４５が、図１８に示すような、ログイン画面を表示させる描画データを作成し、表示装置２２の表示画面に上記ログイン画面を表示する構成とすればよい。そして、ログイン画面のＯＫを示したアイコンを選択することにより、ＩＤ情報受付部４３が、ＩＤ情報を担当情報取得部４４に送る構成とすればよい。
【０１８３】
担当情報取得部４４は、ＩＤ情報受付部４３から上記ＩＤ情報を受け付ける。さらに、担当情報取得部４４は、サーバ装置１５から、前記受け付けた識別情報に基づいて、上記ＩＤ情報で特定される作業員が担当した生産設備を示す情報、および、該作業員の担当時間情報を取得する。そして、担当情報取得部４４は、この取得した、生産設備を示す情報と、担当時間情報とを表示制御部４５に送る。
【０１８４】
ここで、作業員によるデータ入力に関する所定の指示が、入力装置２１を介して、表示制御部４５に入力された場合、表示制御部４５は、メモリ５１ａから、上記生産設備を示す情報に示された生産設備、および、担当時間情報に示された時間についての、上記関連付けされた情報を読み出す。そして、表示制御部４５は、この読み出した情報に基づいて、データ入力用の描画データを作成する。さらに、表示制御部４５は、作成した描画データを表示装置２２に送る。この場合、表示装置２２の表示画面には、入力受け付け画面として、例えば図１９に示すような画面（入力用画面）が表示される。同図には、ＩＤ情報で特定された作業員が、少なくとも生産設備Ｍ１〜Ｍ３を担当した場合であって、担当時間帯の一部の時間帯（時刻Ｔ１〜時刻Ｔ２）に関する表示がなされている。
【０１８５】
なお、表示制御部４５は、作業員等による画面スクロール指示を受け付けると、表示装置２２の表示画面に、画面を上下および左右にスクロールした状態の画面を表示させる。これにより、作業担当者が担当した他の設備、および、Ｔ２以降の稼動状況等を表示画面に表示することができる。
【０１８６】
以下、上記データ入力用の描画データを構成する各描画データの作成について説明する。
【０１８７】
まず、表示制御部４５は、各生産設備に関し、稼動情報と停止情報とに基づき、時系列に沿って、各情報を視認可能に区別した矩形波に関する描画データを作成する。同図に基づいて説明すると、表示制御部４５は、稼動情報に含まれる時刻に関しては縦軸がＨＩＧＨ状態の位置にドットをプロットし、停止情報に含まれる時刻に関しては縦軸がＬＯＷ状態の位置にドットをプロットすると共に、プロットされたドットを時系列に沿って線分で結ぶ描画を行う描画データを作成する。また、表示制御部４５は、時刻を一定間隔で表した時間軸を示す描画データも併せて作成する。
【０１８８】
また、表示制御部４５は、生産設備の停止原因を入力するためのコメントボックス（同図のＣＢ１）と、該停止原因による停止に関し、生産設備に対して行った処置内容を入力するコメントコメントボックス（同図のＣＢ２）とを表示装置２２に表示させるための描画データを作成する。ここで、表示制御部４５は、両コメントボックスが、停止を示した描画に対応した位置に配されるように、描画データを作成する。なお、以下では、停止原因を入力するためのコメントボックスを停止原因ボックスと、処置内容を入力するコメントコメントボックスを処置内容ボックスと称する。
【０１８９】
さらに、表示制御部４５は、各停止を示した描画に対応した位置に、停止情報の種類（つまり、作業員停止情報、トラブル停止情報、搬出待停止情報、および、搬入待停止情報）に応じた、識別子（例えば、図形）を表示する描画データを作成する。同図においては、識別子として図形を用いた場合であって、かつ、作業員停止情報、トラブル停止情報、搬出待停止情報、および、搬入待停止情報の場合、それぞれ、菱形の図形（◆）、星形の図形（★）、下向き三角の図形（▼）、および、上向き三角の図形（▲）を示した表示例を示している。なお、各停止情報の図形の形は、互いに識別できるのであれば、どのような形でもよい。
【０１９０】
また、表示制御部４５は、各停止に関して、停止時の映像情報に関連付けされたクリック可能なアイコン（同図のＩＣＯＮ１）が、停止を示した描画に対応した位置に配されるように、描画データを作成する。そして、表示制御部４５は、該アイコンがクリックされたことを入力装置２１（表示装置２２がタッチパネル式の場合には該表示装置２２）からの入力により検知すると、表示装置２２の表示画面上に、このアイコンに関連づけされた停止に関する、上記一定時間の映像情報を動画表示する。なお、表示画面における映像情報の表示位置またはサイズは特に限定されるものではない。
【０１９１】
さらに、表示制御部４５は、入力用の画面に示される内容を変更する設定画面を呼び出すためのクリック可能なアイコン（同図のＩＣＯＮ２）が、入力用の画面の所定位置に配されるように、描画データを作成する。ここで、表示制御部４５は、該アイコンがクリックされたことを入力装置２１等からの入力により検知すると、表示装置２２の表示画面の表示内容を、上記設定画面に切り替える。ここで、設定画面は、例えば、上記担当時間帯（作業開始時刻から作業終了時刻で示される時間帯）等を変更するための画面である。なお、設定画面の例については、後述する。
【０１９２】
また、表示制御部４５は、詳しくは後述するが、情報処理装置２３に入力された情報を保存するためのクリック可能なアイコン（同図のＩＣＯＮ３）が、入力用の画面の所定位置に配されるように、描画データを作成する。ここで、入力装置２１等から、該アイコンがクリックされたことを示す情報が情報処理装置２３に入力されると、メモリ５１ａに一時記憶されていた情報と同じ情報が主記憶部５１ａに送られ、この情報が主記憶部５１ａに記憶される。主記憶部５１ａとしては、例えば、ハードディスクドライブを用いることができる。
【０１９３】
なお、以下では、上記設定画面を呼び出すためのクリック可能なアイコンを、設定アイコンと、上記情報処理装置２３に入力された情報を保存するためのクリック可能なアイコンを、保存アイコンと称する。
【０１９４】
次に、作業員により入力される情報の処理について説明する。
【０１９５】
停止原因受付部４６は、入力装置２１を介して入力された、生産設備の停止の原因を示した停止原因情報の入力を、各生産設備の停止毎に受け付ける。そして、停止原因受付部４６は、受け付けた停止原因情報を、データ関連付部４１に送る。
【０１９６】
データ関連付部４１は、停止原因受付部４６から、各生産設備の停止毎の停止原因情報を受け付ける。ここで、データ関連付部４１は、停止原因情報を、上記停止毎に、メモリ５１ａに記憶された上記関連付けた情報（つまり、各停止情報と、該各停止情報に対応する時間の映像情報とを関連付けた情報）に関連付ける。この関連付けが終了すると、データ関連付部４１は、表示制御部４５に対して、関連付けが終了したことを示す情報（第１終了情報）を送る。
【０１９７】
表示制御部４５は、データ関連付部４１から上記第１終了情報を受け付けると、表示画面上の各停止原因ボックスの枠内に、各停止に対応した停止原因情報を表示する描画データを作成する。この描画データは表示装置２２に送られ、表示画面上に該描画データに基づいた表示が行われる。
【０１９８】
処置内容受付部４７は、入力装置２１を介して入力された、停止に対する処置内容を示した処置内容情報の入力を、各生産設備の停止毎に受け付ける。そして、処置内容受付部４７は、受け付けた処置内容情報を、データ関連付部４１に送る。
【０１９９】
データ関連付部４１は、処置内容受付部４７から、各生産設備の停止毎の処置内容情報を受け付ける。ここで、データ関連付部４１は、処置内容情報を、上記停止毎に、メモリ５１ａに記憶された上記関連付けた情報（つまり、各停止情報と、該各停止情報に対応する時間の映像情報と、各停止原因情報とを関連付けた情報）に関連付ける。この関連付けが終了すると、データ関連付部４１は、表示制御部４５に対して、関連付けが終了したことを示す情報（第２終了情報）を送る。
【０２００】
表示制御部４５は、データ関連付部４１から上記第２終了情報を受け付けると、表示画面上の各処置内容ボックスの枠内に、各停止に対応した処置内容情報を表示する描画データを作成する。この描画データは表示装置２２に送られ、表示画面上に該描画データに基づいた表示が行われる。
【０２０１】
ここで、図２０に、停止原因情報と処置内容情報とが入力された後の、入力用画面を示す。
【０２０２】
なお、メモリ５１ａに停止原因情報および／または処置内容情報が一時記憶された状態で、作業員により、表示画面上の保存アイコンがクリックされると、メモリ５１ａに一時記憶された全ての情報が主記憶部５１ａに記憶される。
【０２０３】
判定部４８は、停止原因ボックスに入力する停止原因情報に対して設定された、主記憶部５１ａの記憶領域に、停止原因情報が入力されているか否かを、全ての停止原因ボックスに関し判定する。さらに、判定部４８は、処置内容ボックスに入力する処置内容情報に対して設定された、主記憶部５１ａの記憶領域に、処置内容情報が入力されているか否かを、全ての処置内容ボックスに関し判定する。
【０２０４】
そして、判定部４８が、停止原因情報および処置内容情報が全て入力されていないと判定した場合には、判定部４８は、表示制御部４５および警告音発生部４９に対して、所定の情報を送る。
【０２０５】
表示制御部４５が、判定部４８から上記所定の情報を受け付けた場合、表示制御部４５は、表示装置２２の表示画面上に警告を示す表示を行う描画データを作成する。この場合、この描画データに基づいて、表示装置２２の表示画面上には、警告を示す表示がなされる。
【０２０６】
警告音発生部４９は、アンプおよびスピーカーで構成されており、判定部４８から上記所定の情報を受け付けた場合、警告音を外部に発生する。
【０２０７】
ここで、全ての停止原因情報および処置内容情報の入力が完了し、保存アイコンがクリックされると、ＩＤ情報で特定された作業者に関する、情報処理装置２３に対する一連の入力処理が完了することとなる。なお、このような処理は、作業者毎に行われる。
【０２０８】
データ送信部５０は、入力装置２１から所定の指示を受け付けた場合、主記憶部５１ａから該装置に記憶された情報を読み出し、出力装置２４に送る。出力装置２４は、データ送信部５０から上記の情報を受け付けると、リスト形式でプリントアウトする。
【０２０９】
次に、上記入力処理が完了した後に、管理者が、作業者の作業内容を解析する場合について説明する。
【０２１０】
管理者が、入力装置２１に対して、所定時間（例えば、時刻Ｔ３から時刻Ｔ４）のデータの読み出し指示する情報（指示情報）を入力すると、この指示情報は、表示制御部４５に送られる。ここで、表示制御部４５は、主記憶部５１ａから、指示情報に示された所定時間についての上記関連付けられた情報（各停止情報と、該各停止情報に対応する時間の映像情報と、各停止原因情報と、各処置内容情報とを関連付けた情報）を取得する。
【０２１１】
そして、この関連付けられた情報に基づいて、表示装置２２の表示画面に図２１に示すような解析用画面の表示がなされる。表示形式としては、保存アイコンがない点を除けば、入力用の表示画面と同じである。つまり、表示画面には、複数の生産設備の稼動状況が、時系列に沿って表示される。また、表示画面には、各停止情報について、停止原因と処置内容とが表示される。さらに、図形（識別子）、および、上記停止時の映像情報に関連付けされたクリック可能なアイコンが表示される。
【０２１２】
また、管理者が作業員のＩＤ情報を入力した場合には、ＩＤ情報受付部４３および担当情報取得部４４の処理を介して、表示制御部４５が、該ＩＤ情報で特定される作業員に関する複数の担当生産設備であって、かつ、該作業員の担当時間帯に関する情報を表示装置２２の表示画面に表示させてもよい。
【０２１３】
以上のように、情報処理装置２３は、生産ラインにおける生産設備の稼動を示した稼動情報および該設備の停止を示した停止情報を、生産設備毎に順次取得する稼働状況取得部（稼動状況取得手段）４０と、前記生産設備の停止の原因を示した停止原因情報の入力を、生産設備毎に受け付ける停止原因受付部（停止原因受付手段）４６と、少なくとも前記停止情報に前記停止原因情報を関連付けると共に、前記稼動情報および前記関連付けた情報を記憶装置５１に記憶させるデータ関連付部（関連付手段）４１と、複数の生産設備に関する、前記記憶された前記稼動情報および前記関連付けされた情報を、時系列で、併せて表示画面に表示させる表示制御部（表示制御手段）４５とを備える構成である。
【０２１４】
この構成によれば、稼動状況取得部４０により、生産ラインにおける生産設備の稼動を示した稼動情報および該設備の停止を示した停止情報が、生産設備毎に順次取得される。また、停止原因受付部４６により、生産設備の停止の原因を示した停止原因情報の入力が、生産設備毎に受け付けられる。さらに、データ関連付部４１により、少なくとも停止情報に停止原因情報が関連付けられると共に、稼動情報および関連付けた情報が記憶装置５１に記憶される。これにより、記憶装置５１には、稼動情報、停止情報、および、該停止情報に関連した停止原因情報が、生産設備毎に順次記憶される。
【０２１５】
そして、表示制御部４５により、複数の生産設備に関する、記憶された前記稼動情報および前記関連付けされた情報が、時系列で、併せて表示装置２３の表示画面に表示される。このため、停止原因情報を用いて、生産設備の稼動状況を解析する際に、複数の生産設備の稼動状況に関する時系列に沿った表示を行うことができる。
【０２１６】
それゆえ、情報処理装置２３によれば、生産ラインにおいて各生産設備の稼動の停止が、どのように連動して起こっているかを判断できる。したがって、生産設備の稼動状況の解析を容易となる。
【０２１７】
また、情報処理装置２３は、前記停止に対する処置内容を示した処置内容情報の入力を、生産設備毎に受け付ける処置内容受付部（処置内容受付手段）４７を備え、データ関連付部４１は、さらに、前記処置内容情報を関連付ける構成といえる。
【０２１８】
この構成によれば、処置内容受付部４７により、前記停止に対する処置内容を示した処置内容情報の入力が、生産設備毎に受け付けられる。さらに、データ関連付部４１により、処置内容情報が関連付けられる。これにより、停止情報に対して、停止原因情報と処置内容情報とが関連付けられる。したがって、表示制御部４５により、処置内容についても、時系列で、併せて表示画面に表示させることができる。
【０２１９】
また、情報処理装置２３は、生産設備近辺の映像を示した映像情報であって、各停止情報に対応した時間の映像を示した映像情報を、生産設備毎に外部から取得する映像データ取得部（映像情報取得手段）４２を備え、データ関連付部４１は、さらに、映像情報を関連付け、停止情報に関連する停止原因情報の入力の受け付けに際して、所定の指示を受け付けた場合、表示制御部４５は、該停止情報に対応した映像情報で示される映像を表示する構成といえる。
【０２２０】
この構成によれば、映像データ取得部４２により、生産設備近辺の映像を示した映像情報であって、各停止情報に対応した時間の映像を示した映像情報が、生産設備毎に外部から取得できる。また、データ関連付部４１により、映像情報が関連付けられる。これにより、停止情報に対して、停止原因情報と処置内容情報と映像情報とが関連付けられる。さらに、停止情報に関連する停止原因情報の入力の受け付けに際して、所定の指示を受け付けた場合、表示制御部４５により、該停止情報に対応した映像情報で示される映像が表示される。
【０２２１】
それゆえ、生産設備を担当した作業員は、停止原因情報の入力の際に、情報処理装置に対して所定の指示を入力することにより、停止情報に対応した映像情報で示される映像を視ることができる。したがって、作業員が、担当の作業が終了した後に停止原因情報を入力する場合であっても、作業員は、映像を見ることにより、正確な停止原因情報を入力することが可能となる。
【０２２２】
また、情報処理装置２３は、稼動状況取得部４０は、前記停止情報として、強制停止、不具合停止、搬入待停止、および、搬出待停止の何れかを示す分類情報を取得し、表示制御部４５は、停止原因受付部４６による停止原因情報の受け付けに際して、各停止情報に基づいて生成された、前記表示画面における各停止状態を示す表示領域に対応付けて、停止原因情報の入力用領域を表示すると共に、分類情報に応じた識別情報を前記表示領域に対応付けて表示する構成といえる。
【０２２３】
この構成によれば、稼動状況取得部４０により、停止情報として、強制停止、不具合停止、搬入待停止、および、搬出待停止の何れかを示す分類情報を取得できる。また、表示制御部４５により、停止原因受付部４６による停止原因情報の受け付けに際して、各停止情報に基づいて生成された、表示画面における各停止状態を示す表示領域に対応付けて、停止原因情報の入力用領域が表示されると共に、分類情報に応じた識別情報が前記表示領域に対応付けて表示される。
【０２２４】
それゆえ、作業員は、停止原因情報の入力に際し、分類情報に応じた識別情報を参照することができる。このため、作業員は、表示画面上において、各停止が、強制停止、不具合停止、搬入待停止、および、搬出待停止の何れかであるかを識別できる。したがって、作業員が、担当の作業が終了した後に停止原因情報を入力する場合であっても、作業員は、正確な停止原因情報を入力することが可能となる。
【０２２５】
また、情報処理装置２３は、上述したように、全ての停止情報に関連する停止原因情報の入力が完了したか否かを判定する判定部（判定手段）４８を備え、入力が完了していないと判定された場合、表示制御部４５は、表示画面に所定の警告を表示すると共に、警告音発生手段が、警告音を発する構成である。したがって、作業員による停止原因情報の入力漏れを防止することが可能となる。
【０２２６】
また、情報処理装置２３は、上述したように、作業員を識別する識別情報の入力を受け付けるＩＤ情報受付部（識別情報受付手段）４３と、各作業員を識別するＩＤ情報（識別情報）と、各作業員が担当する生産設備を示す情報とを対応付けて記憶したサーバ装置１５から、前記受け付けたＩＤ情報に基づいて、生産設備を示す情報を取得する担当情報取得部（担当情報取得手段）４４とを備え、表示制御部４５は、前記取得された情報に示された生産設備に関し、上記記憶された稼動情報および上記関連付けされた情報を、時系列で、併せて表示画面に表示させる構成といえる。
【０２２７】
この構成によれば、ＩＤ情報受付部４３により、作業員を識別するＩＤ情報の入力が受け付けられる。また、担当情報取得部４４により、各作業員を識別するＩＤ情報と、各作業員が担当する生産設備を示す情報とを対応付けて記憶したサーバ装置１５から、前記受け付けた識別情報に基づいて、生産設備を示す情報が取得される。
【０２２８】
さらに、表示制御部４５により、上記取得された情報に示された生産設備に関し、上記記憶された前記稼動情報および前記関連付けされた情報が、時系列で、併せて表示画面に表示される。つまり、ＩＤ情報で特定される作業員が担当した生産設備に関し、上記記憶された稼動情報および関連付けされた情報が、時系列で、併せて表示画面に表示される。
【０２２９】
それゆえ、上記の作業員が、少なくとも停止原因情報を入力する際には、該作業員が担当した生産設備以外の稼動情報および前記関連付けされた情報は、表示画面には表示されない。したがって、作業員の迅速な情報の入力が可能となる。
また、情報処理装置２３は、前記サーバ装置１５には、さらに、各作業員の担当時間を示した担当時間情報が記憶されており、担当情報取得部４４は、さらに、前記受け付けたＩＤ情報に基づいて、担当時間情報を取得し、表示制御部４５は、特定された担当時間に関する、上記記憶された稼動情報および関連付けされた情報を、時系列で、併せて表示画面に表示させる構成といえる。
【０２３０】
この構成によれば、サーバ装置１５には、さらに、各作業員の担当時間を示した担当時間情報が記憶されており、担当情報取得部４４により、前記受け付けた識別情報に基づいて、前記担当時間情報が取得される。また、表示制御部４５により、特定された担当時間に関する、上記記憶された稼動情報および関連付けされた情報が、時系列で、併せて表示画面に表示される。
【０２３１】
それゆえ、上記の作業員が、少なくとも停止原因情報を入力する際には、該作業員が担当した時間以外の稼動情報および関連付けされた情報は、表示画面には表示されない。したがって、作業員の迅速な情報の入力が可能となる。
【０２３２】
ここで、情報処理装置２３で行われる処理のフローについて、図２２に基づいて説明する。
【０２３３】
まず、稼動状況取得部４０が、稼動情報および停止時報を、生産設備毎に順次取得する（Ｓ１１）。Ｓ１１の後は、停止原因受付部４６が、停止原因情報の入力を、生産設備毎に受け付ける（Ｓ１２）。Ｓ１２の後は、処置内容受付部４７が、処置内容情報の入力を、生産設備毎に受け付ける（Ｓ１３）。
【０２３４】
Ｓ１３の後は、データ関連付部４１が、生産設備毎に、前記停止情報に、停止原因情報と処置内容情報とを関連付けて、記憶装置５１に記憶する（Ｓ１４）。
【０２３５】
そして、Ｓ１４の後は、表示制御部４５が、複数の生産設備に関する、上記記憶された稼動情報および上記関連付けされた情報を、時系列で、併せて表示装置２２の表示画面に表示させる（Ｓ１５）。以上により、処理が終了する。
【０２３６】
ところで、生産ラインにおいては、一つの生産設備が停止すると、この停止に連動して他の生産設備が停止する。例えば、生産設備Ｍ１がトラブル停止あるいは作業員による停止により稼動がすると、生産設備Ｍ２および生産設備Ｍ３は、ワークが搬入されなくなる。このため、生産設備Ｍ２およびＭ３に関しては、生産設備Ｍ１の停止前に生産設備Ｍ１から搬出された最後のワークに対する処理が終了すると、稼動が停止する。つまり、搬入待停止状態となる。なお、以下では、トラブル停止あるいは作業員による停止により稼動が停止した生産設備を停止原因元設備とも称する。
【０２３７】
このような場合、上記の構成では、図形による識別子を表示画面に表示して、各生産設備がどのような原因により停止しているかを示した。しかしながら、上記図形の表示では、各生産設備の停止がどのような関連性を有しているのか、直感的に把握しにくい面もある。
【０２３８】
このため、表示制御部４５が、表示装置２２の表示画面上に、例えば矢印図形（オブジェクト）を用いて、関連する停止を隣接する生産設備毎に対応付けて表示する描画データを作成することが好ましい。このような構成とすれば、表示画面には、図２３に示すような、矢印の図形を表示することができる。
【０２３９】
なお、どの停止が互いに関連しているかは、隣接する生産設備同士において、各生産設備がどのような種類の停止情報で停止しているか、および、停止が発生した時刻を判断することにより判断すればよい。例えば、このような技術は、特開平５−２００６５７号公報（公開日：平成５年８月１０日）に開示されているので、ここでの説明は省略する。
【０２４０】
このような構成の場合には、例えば生産設備Ｍ１を生産ラインにおいて上流側からｎ番目の生産設備とすると、情報処理装置２３は、稼動状況取得部４０が、生産ラインにおいて上流側からｎ番目の生産設備に関し、上記強制停止または不具合停止を示す分類情報を受け付けると共に、上流側からｎ＋１番目の生産設備に関し、搬入待停止を示す分類情報を受け付けた場合、データ関連付部４１は、さらに、前記不具合停止を示した分類情報と、前記搬入待停止を示す分類情報とを関連付け、表示制御部４５は、前記両分類情報の関連付けを示すオブジェクトを表示画面に表示する構成であるといえる。
【０２４１】
この構成によれば、稼動状況取得部４０が、上記ｎ番目の生産設備に関し強制停止または不具合停止を示す分類情報を受け付けると共に、上記ｎ＋１番目の生産設備に関し搬入待停止を示す分類情報を受け付けた場合、データ関連付部４１により、さらに、前記強制停止または不具合停止を示した分類情報と、前記搬入待停止を示す分類情報とが関連付けられる。また、表示制御部４５により、前記両分類情報の関連付けを示すオブジェクトが表示画面に表示される。
【０２４２】
それゆえ、作業員が停止原因情報を入力する場合には、作業員は、表示画面上において、外部からの指示により停止した生産設備または自設備の不具合により停止した生産設備と、該停止の影響を被って停止した一つ下流側の生産設備との関係をより明確に把握できる。また、生産ラインの管理者が、生産設備の稼動状況を解析する場合にも、管理者は、表示画面上において、外部からの指示により停止した生産設備または自設備の不具合により停止した生産設備と、該停止の影響を被って停止した一つ下流側の生産設備との関係をより明確に把握できる。したがって、何れの場合においても、外部からの指示により停止した生産設備または自設備の不具合により停止した生産設備と、該停止の影響を被って停止した一つ下流側の生産設備との関係をより明確に把握できる。
【０２４３】
また、情報処理装置２３は、稼動状況取得部４０が、さらに、上記ｎ＋１番目の生産設備よりも下流側に配された生産設備であって、かつ、ｎ＋１番目の生産設備から連続して配された生産設備に関し、搬入待停止を示す分類情報を受け付ける構成であるともいえる。
【０２４４】
この構成によれば、稼動状況取得部４０により、上記ｎ＋１番目の生産設備よりも下流側に配された生産設備であって、かつ、ｎ＋１番目の生産設備から連続して配された生産設備に関し、搬入待停止を示す分類情報が受け付けられる。したがって、外部からの指示により停止した生産設備または自設備の不具合により停止した生産設備と、該停止の影響を被って停止した下流側の複数の生産設備との関係をより明確に把握できる。
【０２４５】
一方、生産設備Ｍ１がトラブル停止あるいは作業員による停止により稼動がすると、生産設備Ｍ１の上流側の生産設備から生産設備Ｍ１に対して、ワークが搬出できなくなる。また、この上流側の生産設備からワークが搬出できなくなると、該生産設備のさらに上流側の生産設備からもワークが搬出できなくなる。このため、これら上流側の生産設備は稼動が停止する。つまり、搬出待停止状態となる。
【０２４６】
このような場合にも、表示制御部４５が、表示装置２２の表示画面上に、上記のように矢印図形（オブジェクト）を用いて、関連する停止を隣接する生産設備毎に対応付けて表示する描画データを作成することが好ましい。
【０２４７】
このような構成の場合には、例えば生産設備Ｍ１を生産ラインにおいて上流側からｎ番目の生産設備とすると、情報処理装置２３は、稼動状況取得部４０が、生産ラインにおいて上流側からｎ番目の生産設備に関し、上記強制停止または不具合停止を示す分類情報を受け付けると共に、上流側からｎ−１番目の生産設備に関し、搬出待停止を示す分類情報を受け付けた場合、データ関連付部４１は、さらに、上記強制停止または不具合停止を示した分類情報と、上記搬出待停止を示す分類情報とを関連付け、表示制御部４５は、両分類情報の関連付けを示すオブジェクトと共に表示画面に表示する構成であるといえる。
【０２４８】
この構成によれば、稼動状況取得部４０が、上記ｎ番目の生産設備に関し強制停止または不具合停止を示す分類情報を受け付けると共に、上記ｎ−１番目の生産設備に関し搬出待停止を示す分類情報を受け付けた場合、データ関連付部４１により、さらに、上記強制停止または不具合停止を示した分類情報と、上記搬出待停止を示す分類情報とが関連付けられる。
【０２４９】
それゆえ、作業員が停止原因情報を入力する場合には、作業員は、表示画面上において、外部からの指示により停止した生産設備または自設備の不具合により停止した生産設備と、該停止の影響を被って停止した一つ上流側の生産設備との関係をより明確に把握できる。また、生産ラインの管理者が、生産設備の稼動状況を解析する場合にも、管理者は、表示画面上において、外部からの指示により停止した生産設備または自設備の不具合により停止した生産設備と、該停止の影響を被って停止した一つ上流側の生産設備との関係をより明確に把握できる。したがって、何れの場合においても、外部からの指示により停止した生産設備または自設備の不具合により停止した生産設備と、該停止の影響を被って停止した一つ上流側の生産設備との関係をより明確に把握できる。
【０２５０】
また、情報処理装置２３は、稼動状況取得部４０が、さらに、上記ｎ−１番目の生産設備よりも上流側に配された生産設備であって、かつ、ｎ−１番目の生産設備から連続して配された生産設備に関し、搬出待停止を示す分類情報を受け付ける構成であるといえる。
【０２５１】
この構成によれば、稼動状況取得部４０により、ｎ−１番目の生産設備よりも上流側に配された生産設備であって、かつ、ｎ−１番目の生産設備から連続して配された生産設備に関し、搬出待停止を示す分類情報が受け付けられる。したがって、外部からの指示により停止した生産設備または自設備の不具合により停止した生産設備と、該停止の影響を被って停止した上流側の複数の生産設備との関係をより明確に把握できる。
【０２５２】
また、上記の実施の形態においては、作業員停止情報、トラブル停止情報、搬出待停止情報、および、搬入待停止情報に応じて、各停止を示した描画に対応した位置に異なる図形を表示させたが、以下のような構成としてもよい。
【０２５３】
例えば、上記図形を表示する代わりに、作業員停止情報、トラブル停止情報、搬出待停止情報、および、搬入待停止情報に応じて、停止時の映像情報に関連付けされたクリック可能なアイコン、停止原因ボックス、処置内容ボックス、および／または、停止により波形が下に凸となることにより波形が窪んだ領域に関する、配色を変えてもよい。さらに、上記窪んだ領域の模様を変えてもよい。あくまでも、作業員停止情報、トラブル停止情報、搬出待停止情報、および、搬入待停止情報を区別できる表示を行う構成であればよい。
【０２５４】
また、上記の実施の形態においては、作業員が、停止原因ボックスに対して停止原因情報を直接的に入力する構成を示したが、情報処理装置２３を以下のような構成とすることにより、停止原因情報の入力を簡略化できる。
【０２５５】
まず、停止原因受付部４６が、稼動状況取得部４０から、作業員停止情報、トラブル停止情報、搬出待停止情報、および、搬入待停止情報を取得する構成とする。そして、この取得した停止情報を、生産設備毎の各停止原因ボックスへの入力に用いる。
【０２５６】
つまり、作業員が直接的に停止原因情報を入力装置２１を用いて入力するのではなく、稼動状況取得部４０が停止原因分類装置２０から取得した停止情報を用いて、情報処理装置２３自体が停止原因情報を記憶し、かつ、停止原因情報を表示画面に表示させる描画データを表示装置２２に送る構成とする。
【０２５７】
ここで、表示させる停止原因情報としては、停止情報の内容そのもの（つまり、搬入待停止等）であってもよいし、予め各種類の停止情報に対応付けられた、停止情報に関連する内容を示す情報（例えば、他設備の停止等）であってもよい。
【０２５８】
また、停止情報が、搬出待停止情報および搬入待停止情報の場合には、生産設備に対して処置を行う必要がない。このため、この停止情報に対応する処置内容ボックスには、所定の情報（例えば、×）を表示する構成としておけば、一層入力が簡略化できる。
【０２５９】
さらに、表示される停止原因情報を、作業員が設定画面により変更できる構成としておくことが好ましい。以下、この構成について、図２４を用いて説明する。
【０２６０】
設定画面では、表示制御部４５で作成された描画データに基づき、複数の選択式のボタン（いわゆるラジオボタン）が表示される。作業員は、この画面において、停止原因元設備の自動入力と、デフォルト入力との何れかを、ラジオボタンにより選択する。
【０２６１】
ここで、停止原因元設備が選択された場合には、予め設定された内容である、上記停止情報の内容そのもの、あるいは、上記停止情報に関連する内容を示す情報が、停止原因ボックスに表示される。さらに、停止情報が、搬出待停止情報および搬入待停止情報の場合には、処置内容ボックスには、上記所定の情報が表示される。
【０２６２】
一方、デフォルト入力が選択された場合には、搬入待停止情報、搬出待停止情報、および、作業員停止情報に関し、各停止情報の停止原因情報および処置内容情報を、ユーザが直接入力する構成とするか否かを、ラジオボタンで選択する。
【０２６３】
もし、上記各停止情報において、ＯＮというラジオボタンが押された場合には、各停止情報で作業員が予め設定した停止原因情報および処置内容情報が、それぞれ、停止原因ボックスおよび処置内容ボックスに表示される。なお、設定画面においては、作業員が、停止原因情報および処置内容情報を個別に設定（入力）可能な構成となっている。これにより、作業員は、停止情報の種類に応じて自動的に表示画面に表示される表示内容を、適宜変更することができる。
【０２６４】
なお、同図においては、停止原因元設備の自動入力が選択されている状態を示している。したがって、搬入待停止（搬入待停止情報）および搬出待停止（搬出待停止情報）に関するラジオボタンが、同図のとおりＯＮとなっていても、両停止に対応して備えられたデフォルト入力のコメントボックスに入力された情報は、表示画面には表示されない。
【０２６５】
また、設定画面には、開始時刻ボックスと終了時刻ボックスとを備えており、これらのボックスに時刻を入力することにより、上述した担当時間帯を変更することができる。これにより、表示画面に表示可能な時間帯を変更できる。
【０２６６】
また、設定画面は、ＯＫというアイコンと、キャンセルというアイコンとを備えており、ＯＫというアイコンが選択されると、入力用の画面に戻ると共に、設定画面で設定された内容が表示画面上に表示される。
【０２６７】
このような構成の場合、情報処理装置２３は、稼動状況取得部４０は、停止情報として、強制停止、不具合停止、搬入待停止、および、搬出待停止の何れかを示す分類情報を取得し、停止原因受付部４６は、停止原因情報として分類情報の入力を受け付け、表示制御部４５は、停止原因情報の入力の受け付けに際して、各停止情報に基づいて生成された、表示画面における停止状態を示した各表示領域に対応付けて、停止原因情報の入力用領域を表示すると共に、該入力用領域に、前記分類情報に応じた情報を表示する構成であるといえる。
【０２６８】
この構成によれば、稼動状況取得部４０により、停止情報として、強制停止、不具合停止、搬入待停止、および、搬出待停止の何れかを示す分類情報を取得できる。また、停止原因受付部４６により、停止原因情報として前記分類情報の入力が受け付けられる。さらに、表示制御部４５により、停止原因情報の入力の受け付けに際して、各停止情報に基づいて生成された、表示画面における停止状態を示した各表示領域に対応付けて、停止原因情報の入力用領域が表示されると共に、該入力用領域に、前記分類情報に応じた情報が表示される。つまり、作業員の入力を行うことなく、分類情報に応じた情報が、自動的に停止原因情報として入力される。したがって、作業員の入力の手間を省くことができると共に、正確な停止原因情報の入力が可能となる。
【０２６９】
さらに、情報処理装置２３を以下のような構成とすることにより、停止原因情報の入力を簡略化できる。以下では、構成を変えた情報処理装置を情報処理装置２３′とし、情報処理装置２３と区別して記載する。
【０２７０】
図２５は、情報処理装置２３′の概略構成を示したブロック図である。情報処理装置２３′は、稼動状況取得部４０、データ関連付部４１、映像データ取得部４２、ＩＤ情報受付部４３、担当情報取得部４４、表示制御部４５′、停止原因受付部４６、処置内容受付部４７、判定部４８、警告音発生部４９、データ送信部５０、記憶装置５１、リスト登録部（登録手段）５２、および、集計部（集計手段）５３を備えている。
【０２７１】
つまり、上述した情報処理装置２３と比べると、情報処理装置２３′は、表示制御部の構成が異なり、さらに、リスト登録部５２と集計部５３とを備えている。それゆえ、以下では、主として、表示制御部４５′、リスト登録部５２、および、集計部５３について説明する。
【０２７２】
リスト登録部５２は、入力装置２１からの入力を受け付け、停止原因情報および処置内容情報を、予めリスト形式で主記憶部５１ａに登録させる。例えば、作業員の実際の入力に先立ち、管理者あるいは作業員が予め停止原因情報および処置内容情報を主記憶部５１ａに登録させておく。
【０２７３】
ここで、情報処理装置２３′における、作業員による入力の処理について説明する。
【０２７４】
作業員が、表示装置２２の表示画面上において、例えば、停止原因ボックスの横に付されたリストボックス表示ボタンをクリックすると、表示制御部４５′は、該停止原因ボックスの横に、予め登録された停止原因がリスト形式で表示される描画データを作成する。そして、表示装置２２の表示画面には、図２６に示すような、画面が表示される。
【０２７５】
この状態で、作業員が、入力装置２１等を介して、表示されたリストボックスから、ある停止原因情報を選択すると、表示制御部４５′は、この選択された停止原因情報を、停止原因ボックスに表示させる描画データを作成する。さらに、選択された停止原因情報は、各停止情報に対応付けられて、主記憶部５１ａに記憶される。そして、表示装置２２の表示画面には、停止原因ボックスに、上記選択された停止原因情報が表示される。
【０２７６】
また、処置内容情報についても、停止原因情報と同様な、リスト形式での表示およびリストからの選択処理がなされる。
【０２７７】
集計部５３は、生産設備毎に、リストボックスから選択された、停止原因情報および処置内容情報の選択回数を、各情報の選択が行われる度に集計する。そして、この選択回数を示す情報を、表示制御部４５′に送る。
【０２７８】
表示制御部４５′は、集計部５３から選択回数の情報を受け付けると、リストボックス内の停止原因情報および処置内容情報を、各生産設備の各情報に関し、選択回数が多い順に配置し直して表示される描画データを作成する。これにより、表示装置２２の表示画面上に表示されるリストボックス内には、選択回数が多い順に、停止原因情報および処置内容情報が表示される。
【０２７９】
また、停止情報の種類によっては、通常、選択される停止原因情報および処置内容情報も異なる。そこで、リストでは、停止情報に応じた内容を選択して表示する構成としておくことが好ましい。つまり、作業員停止情報、トラブル停止情報、搬出待停止情報、および、搬入待停止情報の各情報に応じて、それぞれ異なるリストを表示することが好ましい。これにより、停止原因情報および処置内容情報の選択が一層容易となる。
【０２８０】
このような構成の場合、情報処理装置２３は、記憶装置５１には、上記分類情報毎に、１つ以上の停止原因情報が記憶されており、停止情報に関連する停止原因情報の入力の受け付けに際して、所定の指示を受け付けた場合、表示制御部４５は、記憶された停止原因情報を選択可能にリスト表示する構成であるといえる。
【０２８１】
この構成によれば、記憶装置５１には、分類情報毎に、１つ以上の停止原因情報が記憶されている。また、停止情報に関連する停止原因情報の入力の受け付けに際して、所定の指示を受け付けた場合、表示制御部４５により、記憶された停止原因情報が選択可能にリスト表示される。したがって、作業員が、上記所定の指示を入力することにより、簡易に停止原因情報を入力することが可能となる。
【０２８２】
また、情報処理装置２３は、記憶装置５１に対し、停止原因情報を登録するリスト登録部（登録手段）５２を備える構成であるといえる。
【０２８３】
この構成によれば、リスト登録部５２により、記憶装置５１に対し、停止原因情報を登録することができる。したがって、作業員または管理者は、新たな停止原因情報を追加することが可能となる。
【０２８４】
また、情報処理装置２３は、上記選択された停止原因情報の選択回数を、生産設備毎に集計する集計部（集計手段）５３を備え、表示制御部４５は、リスト表示時に、選択回数の多い順に停止原因情報を表示画面に表示する構成であるといえる。
【０２８５】
上記の構成によれば、集計部５３により、上記選択された停止原因情報の選択回数が、生産設備毎に集計される。また、表示制御部４５により、リスト表示時に、選択回数の多い順に停止原因情報が表示画面に表示される。つまり、作業員が多く選択した順に、停止原因情報が表示される。したがって、作業員は、停止原因情報が選択回数の多い順に並んでいない場合に比べて、停止原因情報の選択を迅速に行うことが可能となる。
【０２８６】
また、情報処理装置２３は、記憶装置５１には、上記分類情報毎に、１つ以上の処置内容情報を示す情報が記憶されており、停止情報に関連する処置内容情報の入力の受け付けに際して、所定の指示を受け付けた場合、表示制御部４５は、記憶された処置内容情報を選択可能にリスト表示する構成であるといえる。
【０２８７】
この構成によれば、記憶装置５１には、分類情報毎に、１つ以上の処置内容情報が記憶されている。また、停止情報に関連する処置内容情報の入力の受け付けに際して、所定の指示を受け付けた場合、表示制御部４５により、記憶された処置内容情報が選択可能にリスト表示される。したがって、作業員が、上記所定の指示を入力することにより、簡易に処置内容情報を入力することが可能となる。
【０２８８】
また、情報処理装置２３は、記憶装置５１に対し、処置内容情報を登録するリスト登録部５２を備える構成であるといえる。
【０２８９】
この構成によれば、リスト登録部５２により、記憶装置５１に対し、処置内容情報を登録することができる。したがって、作業員または管理者は、新たな処置内容情報を追加することが可能となる。
【０２９０】
また、情報処理装置２３は、上記選択された処置内容情報の選択回数を、生産設備毎に集計する集計部５３を備え、表示制御部４５は、リスト表示時に、選択回数の多い順に処置内容情報を表示画面に表示する構成であるといえる。
【０２９１】
この構成によれば、集計部５３により、上記選択された処置内容情報の選択回数が、生産設備毎に集計される。また、表示制御部４５により、リスト表示時に、選択回数の多い順に処置内容情報が表示画面に表示される。つまり、作業員が多く選択した順に、処置内容情報が表示される。したがって、作業員は、処置内容情報が選択回数の多い順に並んでいない場合に比べて、処置内容情報の選択を迅速に行うことが可能となる。
【０２９２】
また、上記の実施の形態においては、ビデオカメラを介して映像を取得したが、ビデオカメラの音声入力を機能させて、該映像と共に音声を取得する構成としてもよい。また、映像の代わりの音声だけを取得する構成としてもよい。
【０２９３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２９４】
なお、上記実施形態の情報処理装置２３の各部（記憶装置５１を除く）や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の情報処理装置２３（記憶装置５１を除く）の各種機能および各種処理を実現することができる。また、上記プログラムをリムーバブルな記録媒体に記録することにより、任意のコンピュータ上で上記の各種機能および各種処理を実現することができる。
【０２９５】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０２９６】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０２９７】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０２９８】
また、インターネットを含む通信ネットワークを接続可能なシステム構成であれば、通信ネットワークからプログラムをダウンロードするように流動的にプログラムを担持する記録媒体であることが好ましい。
【０２９９】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０３００】
様々な生産ラインにおける生産設備の稼働状況の解析および解析用データの入力に適用できる。
【図面の簡単な説明】
【０３０１】
【図１】本実施の形態に係る生産ライン管理システムにおける稼働状況管理装置内の情報処理装置の概略構成を示した図である。
【図２】生産ライン管理システムの概略構成を示した図である。
【図３】ラインの所定箇所にワークが存在する場合における、或る時刻における第１対応付情報を示した図である。
【図４】ラインの所定箇所にワークが存在しない場合における、或る時刻における第１対応付情報を示した図である。
【図５】生産設備を停止させた場合における、或る時刻における第４対応付情報を示した図である。
【図６】生産設備を停止させていない場合における、或る時刻における第４対応付情報を示した図である。
【図７】上記稼働状況管理システム内の停止原因分類装置の概略構成を示した図である。
【図８】第１対応付情報群を示した図である。
【図９】第２対応付情報群を示した図である。
【図１０】第４対応付情報群を示した図である。
【図１１】フラグが付された第１対応付情報群を示した図である。
【図１２】フラグが付された第２対応付情報群を示した図である。
【図１３】センサの出力に基いて判断される、生産設備の稼動状況を示した図である。
【図１４】第４対応付情報に稼動またはトラブル停止という情報が付加された、第４対応付情報群を示した図である。
【図１５】第４対応付情報に稼動または搬出待停止という情報が付加された、第４対応付情報群を示した図である。
【図１６】上記停止原因分類装置における処理フローを示したフローチャートである。
【図１７】第４対応付情報に稼動または作業員による停止という情報が付加された、第４対応付情報群を示した図である。
【図１８】表示装置の表示画面に表示されるログイン画面を示した図である。
【図１９】表示装置の表示画面に表示される入力用画面を示した図である。
【図２０】停止原因情報と処置内容情報とが入力された後の、上記入力用画面を示した図である。
【図２１】作業者の作業内容を解析する場合に示される、解析用画面を示した図である。
【図２２】上記情報処理装置で行われる処理フローを示したフローチャートである。
【図２３】矢印表示を用いて、関連する停止を隣接する生産設備毎に対応付けて表示した場合の、表示画面を示した図である。
【図２４】設定画面を示した図である。
【図２５】情報処理装置の他の概略構成を示したブロック図である
【図２６】予め登録された停止原因をリスト形式で表示した場合の表示画面を示した図である。
【符号の説明】
【０３０２】
１５  サーバ装置
１６  稼動状況管理装置
２０  停止原因分類装置（分類情報生成装置）
２１  入力装置
２２  表示装置
２３  情報処理装置
３６  状態検出部
３７  設備状態特定部
４０  稼動状況取得部（稼働状況取得手段）
４１  データ関連付部（関連付手段）
４２  映像データ取得部（映像情報取得手段）
４３  ＩＤ情報受付部（識別情報受付手段）
４４  担当情報取得部（担当情報取得手段）
４５  表示制御部（表示制御手段）
４６  停止原因受付部（停止原因受付手段）
４７  処置内容受付部（処置内容受付手段）
４８  判定部（判定手段）
４９  警告音発生部（警告音発生手段）
５１  記憶装置
５２  リスト登録部（登録手段）
５３  集計部（集計手段）
【図１】
2006139514.tif 000003
【図２】
2006139514.tif 000004
【図３】
2006139514.tif 000005
【図４】
2006139514.tif 000006
【図５】
2006139514.tif 000007
【図６】
2006139514.tif 000008
【図７】
2006139514.tif 000009
【図８】
2006139514.tif 000010
【図９】
2006139514.tif 000011
【図１０】
2006139514.tif 000012
【図１１】
2006139514.tif 000013
【図１２】
2006139514.tif 000014
【図１３】
2006139514.tif 000015
【図１４】
2006139514.tif 000016
【図１５】
2006139514.tif 000017
【図１６】
2006139514.tif 000018
【図１７】
2006139514.tif 000019
【図１８】
2006139514.tif 000020
【図１９】
2006139514.tif 000021
【図２０】
2006139514.tif 000022
【図２１】
2006139514.tif 000023
【図２２】
2006139514.tif 000024
【図２３】
2006139514.tif 000025
【図２４】
2006139514.tif 000026
【図２５】
2006139514.tif 000027
【図２６】
2006139514.tif 000028